(57)【要約】【課題】複数の階調について駆動電流の誤差を抑制する。【解決手段】画素回路Ｕは、相互に直列に接続された発光素子Ｅおよび駆動トランジスタＴDRと、駆動トランジスタＴDRのゲートとソースとの間に介在する保持容量ＣSTとを含む。駆動回路３０は、駆動トランジスタＴDRのゲートに駆動信号Ｘ[j]を供給し、駆動信号Ｘ[j]の供給を停止する時点における駆動信号Ｘ[j]の電位ＶXの時間変化率ＲXが、当該画素回路Ｕの指定階調Ｄに対応した時間変化率ＲXとなるように、駆動信号Ｘ[j]の電位ＶXを経時的に変化させる。【選択図】図４
2010079158.tif 000002
【特許請求の範囲】
【請求項１】
相互に直列に接続された発光素子および駆動トランジスタと、前記発光素子と前記駆動トランジスタとの間の経路と前記駆動トランジスタのゲートとの間に介在する保持容量とを含む画素回路を駆動する方法であって、
前記駆動トランジスタのゲートに駆動信号を供給し、前記駆動信号の供給を停止する時点における前記駆動信号の電位の時間変化率が、当該画素回路の指定階調に対応した時間変化率となるように、前記駆動信号の電位を経時的に変化させる
画素回路の駆動方法。
【請求項２】
前記駆動トランジスタのゲートに対する前記駆動信号の供給を停止する時点における前記駆動信号の電位の時間変化率と、前記発光素子と前記駆動トランジスタとの間の経路に付随する容量の容量値との乗算値に相当する電流が、当該駆動トランジスタに流れるように、前記保持容量の両端間の電圧が設定される
請求項１の画素回路の駆動方法。
【請求項３】
前記駆動トランジスタのゲートに対する駆動信号の供給を停止する時点までの所定の期間において、前記指定階調に対応した一定の時間変化率で前記駆動信号の電位を変化させる
請求項１または請求項２の画素回路の駆動方法。
【請求項４】
前記画素回路は、前記駆動信号が供給される信号線と前記駆動トランジスタのゲートとの間に介在する選択スイッチを含み、
選択パルスの供給で前記選択スイッチをオン状態に制御することで前記信号線から前記駆動トランジスタのゲートに前記駆動信号を供給する
請求項１から請求項３の何れかの画素回路の駆動方法。
【請求項５】
少なくとも前記指定階調が第１階調である場合に、前記選択パルスの後縁にて前記選択スイッチをオフ状態に変化させることで前記駆動トランジスタのゲートに対する前記駆動信号の供給を停止する
請求項４の画素回路の駆動方法。
【請求項６】
少なくとも前記指定階調が第２階調である場合に、前記駆動信号と前記選択パルスとの電位差が前記選択スイッチの閾値電圧を下回ることで前記選択パルスの後縁よりも手前の時点にて前記選択スイッチがオフ状態となるように、前記駆動信号の電位と前記選択パルスの電位とが選定されている
請求項４または請求項５の画素回路の駆動方法。
【請求項７】
前記選択パルスの前縁から調整時間が経過した時点にて前記駆動信号の電位を前記指定階調に対応した時間変化率で変化させ始める
請求項４から請求項６の何れかの画素回路の駆動方法。
【請求項８】
前記調整時間を前記指定階調に応じて可変に設定する
請求項７の画素回路の駆動方法。
【請求項９】
前記駆動信号の電位を、前記指定階調に応じた調整電位に変化させてから当該指定階調に対応した時間変化率で変化させる
請求項４から請求項８の何れかの画素回路の駆動方法。
【請求項１０】
相互に直列に接続された発光素子および駆動トランジスタと、前記発光素子と前記駆動トランジスタとの間の経路と前記駆動トランジスタのゲートとの間に介在する保持容量とを含む画素回路と、
前記駆動トランジスタのゲートに駆動信号を供給し、前記駆動信号の供給を停止する時点における前記駆動信号の電位の時間変化率が、当該画素回路の指定階調に対応した時間変化率となるように、前記駆動信号の電位を経時的に変化させる駆動回路と
を具備する発光装置。
【請求項１１】
前記駆動回路は、
複数の電位の何れかを前記指定階調に応じて選択する電位選択部と、
前記電位選択部が選択した電位に応じた電流を生成する電流生成部と、
前記電流生成部が生成した電流の供給で充電される容量素子とを含み、
前記容量素子の電圧を前記駆動信号として出力する
請求項１０の発光装置。
【請求項１２】
前記駆動回路は、電位の時間変化率が相違する複数の信号を生成する複数の信号生成部と、
前記複数の信号の何れかを前記指定階調に応じて前記駆動信号として選択する信号選択部とを含む
請求項１０の発光装置。
【請求項１３】
請求項１０から請求項１２の何れかの発光装置を具備する電子機器。
【発明の詳細な説明】
【技術分野】
【０００１】
本発明は、有機ＥＬ（Electroluminescence）素子などの発光素子を駆動する技術に関する。
【背景技術】
【０００２】
発光素子に供給される駆動電流を駆動トランジスタが制御する発光装置においては、駆動トランジスタの電気的な特性の誤差（目標値からの相違や各素子間のバラツキ）が問題となる。特許文献１には、駆動トランジスタのゲート−ソース間の電圧を駆動トランジスタの閾値電圧に設定してから階調に応じた電圧に変化させることで、駆動トランジスタの閾値電圧および移動度の誤差（ひいては駆動電流の電流量の誤差）を補償する技術が開示されている。
【特許文献１】特開２００７−３１０３１１号公報
【発明の開示】
【発明が解決しようとする課題】
【０００３】
しかし、特許文献１の技術で駆動電流の誤差が有効に補償されるのは特定の階調が指定された場合に限定され、階調によっては駆動電流の誤差を解消できない場合がある。以上の事情に鑑みて、本発明は、複数の階調について駆動電流の誤差を抑制することを目的とする。
【課題を解決するための手段】
【０００４】
以上の課題を解決するために、本発明に係る画素回路の駆動方法は、相互に直列に接続された発光素子および駆動トランジスタと、発光素子と駆動トランジスタとの間の経路と駆動トランジスタのゲートとの間に介在する保持容量とを含む画素回路を駆動する方法であって、駆動トランジスタのゲートに駆動信号を供給し、駆動信号の供給を停止する時点における駆動信号の電位の時間変化率が、当該画素回路の指定階調に対応した時間変化率となるように、駆動信号の電位を経時的に変化させる。
【０００５】
駆動トランジスタのゲートに駆動信号を供給すると、駆動信号の電位の時間変化率に応じた電流（駆動トランジスタの閾値電圧や移動度に依存しない電流）が駆動トランジスタに流れる。保持容量の両端間の電圧は、駆動トランジスタのゲートに対する駆動信号の供給が停止する時点での駆動信号の電位の時間変化率に応じた電流を駆動トランジスタに流すための電圧に設定される。さらに詳述すると、駆動トランジスタのゲートに対する駆動信号の供給を停止する時点における駆動信号の電位の時間変化率と、発光素子と駆動トランジスタとの間の経路に付随する容量の容量値との乗算値に相当する電流が、当該駆動トランジスタに流れるように、保持容量の両端間の電圧が設定される。駆動信号の供給の停止時における時間変化率は画素回路の指定階調に応じて可変に設定される。したがって、保持容量の両端間の電圧に応じて発光素子に供給される駆動電流は、指定階調に応じた電流量（駆動トランジスタの閾値電圧や移動度に依存しない電流量）に設定される。なお、電位の時間変化率とは、電位が時間の経過とともに変化する割合を意味し、時間軸に対する電位の勾配や電位の時間微分値と同義である。
【０００６】
本発明の好適な態様では、駆動トランジスタのゲートに対する駆動信号の供給を停止する時点までの所定の期間において、指定階調に対応した一定の時間変化率で駆動信号の電位を変化させる。以上の態様においては、所定の期間内で駆動信号の電位の時間変化率が所定値に維持されるから、駆動信号の電位の時間変化率を、駆動信号の供給の停止時にて正確に指定階調に応じた時間変化率に設定することが可能である。
【０００７】
本発明の第１の態様において、画素回路は、駆動信号が供給される信号線と駆動トランジスタのゲートとの間に介在する選択スイッチを含み、選択パルスの供給で選択スイッチをオン状態に制御することで信号線から駆動トランジスタのゲートに駆動信号を供給する。
【０００８】
第１の態様の具体例において、少なくとも指定階調が第１階調（例えば図１２の最低階調ＤMINや中間調ＤL）である場合に、選択パルスの後縁にて選択スイッチをオフ状態に変化させることで駆動トランジスタのゲートに対する駆動信号の供給を停止する。以上の態様においては、第１階調が指定された場合に、駆動トランジスタのゲートに対する駆動信号の供給を停止する時点を、選択パルスの後縁に応じて正確に規定できるという利点がある。以上の態様の具体例は、例えば第１実施形態から第４実施形態として後述される。
【０００９】
第１の態様の具体例において、少なくとも指定階調が第２階調（例えば図１２の最高階調ＤMAXや中間調ＤH）である場合に、駆動信号と選択パルスとの電位差が選択スイッチの閾値電圧を下回ることで選択パルスの後縁よりも手前の時点にて選択スイッチがオフ状態となるように、駆動信号の電位と選択パルスの電位とが選定されている。以上の態様においては、駆動信号と選択パルスとの電位差が選択スイッチの閾値電圧を下回ることで選択パルスの後縁よりも手前の時点にて選択スイッチがオフ状態に遷移する。したがって、指定階調に拘わらず選択パルスの後縁にて駆動信号の供給を停止する方法と比較すると、駆動信号の電位を高い時間変化率で変化させた場合であっても、選択パルスや駆動信号の振幅を抑制することが可能である。以上の態様の具体例は、例えば第２実施形態として後述される。
【００１０】
第１の態様の具体例において、選択パルスの前縁から調整時間が経過した時点にて駆動信号の電位を指定階調に対応した時間変化率で変化させ始める。以上の態様によれば、例えば指定階調に拘わらず選択パルスの前縁から駆動信号の電位を変化させる方法と比較して、選択パルスや駆動信号の振幅を抑制することが可能である。駆動トランジスタのソースの電位の時間変化率が駆動信号の電位の時間変化率に合致する平衡状態に到達するまでの時間が駆動信号の電位の時間変化率に応じて変化するという傾向を考慮すると、調整時間を指定階調に応じて可変に設定する方法が格別に好適である。以上の態様の具体例は、例えば第３実施形態として後述される。
【００１１】
第１の態様の具体例において、駆動信号の電位を、指定階調に応じた調整電位に変化させてから当該指定階調に対応した時間変化率で変化させる。以上の態様においては、駆動信号の電位が調整電位に変化してから当該指定階調に対応した時間変化率で変化し始めるから、駆動トランジスタに電流が流れ始めるまでの時間（さらには駆動トランジスタが平衡状態に到達するまでの時間）が短縮されるという利点がある。以上の態様の具体例は、例えば第４実施形態として後述される。
【００１２】
本発明の第２の態様に係る画素回路の駆動方法は、保持容量の両端間の電圧を初期化してから駆動トランジスタのゲートに駆動信号を供給する。以上の構成においては、保持容量の両端間の電圧が初期化されるから、駆動信号の電位を指定階調に応じた時間変化率で変化させると、駆動トランジスタのドレイン−ソース間には早期に電流が流れ始める。したがって、保持容量の両端間の電圧を初期化しない場合と比較して、駆動トランジスタが平衡状態に到達する時間を短縮することが可能である。
【００１３】
第２の態様の具体例において、保持容量の両端間の電圧を、駆動トランジスタがオン状態となる電圧に初期化する。以上の態様においては、保持容量の両端間の電圧の初期化で駆動トランジスタがオン状態に制御されるから、初期化前の保持容量の両端間の電圧に拘わらず、駆動信号の供給の開始後に速やかに駆動トランジスタのドレイン−ソース間に電流が流れる。以上の態様の具体例は、例えば第５実施形態から第７実施形態として後述される。
【００１４】
第２の態様の具体例において、所定の時間変化率（例えば最高階調に対応する時間変化率）で電位が変化する駆動信号を駆動トランジスタのゲートに供給することで、保持容量の両端間の電圧を、駆動トランジスタがオン状態となる電圧に初期化する。以上の態様においては、画素回路の駆動時と同様の動作で保持容量の両端間の電圧を初期化できるという利点がある。以上の態様の具体例は、例えば第５実施形態として後述される。
【００１５】
第２の態様の具体例において、駆動信号の供給用の信号線から駆動トランジスタのゲートに基準電位を供給するとともに、発光素子と駆動トランジスタとの間の経路に給電線から所定の電位を供給することで、保持容量の両端間の電圧を、駆動トランジスタがオン状態となる電圧に初期化する。以上の態様においては、駆動トランジスタのゲートに基準電位が供給されるとともにソースに所定の電位が供給されるから、保持容量の両端間の電圧が、駆動トランジスタがオン状態となる電圧に確実に初期化されるという利点がある。なお、以上の態様の具体例は、例えば第６実施形態や第７実施形態として後述される。
【００１６】
第２の態様の具体例において、保持容量の両端間の電圧を、駆動トランジスタの閾値電圧に漸近させた電圧に初期化する。以上の態様においては、初期化前の保持容量の両端間の電圧に拘わらず、駆動信号の供給の開始後に速やかに駆動トランジスタのドレイン−ソース間に電流が流れる。以上の態様の具体例は、例えば第８実施形態から第１０実施形態として後述される。
【００１７】
第２の態様の好適な具体例である第３の態様において、信号線と複数の走査線との各交差に対応して配置された複数の画素回路の各々が、信号線と駆動トランジスタのゲートとの間に介在して走査線の選択時にオン状態となる選択スイッチとを含み、複数の画素回路の各々における保持容量の両端間の電圧を初期化する一方、複数の走査線の各々を単位期間毎に順次に選択し、選択した走査線に対応する画素回路の選択スイッチがオフ状態に遷移する時点における駆動信号の電位の時間変化率が、当該画素回路の指定階調に対応した時間変化率となるように、駆動信号の電位を単位期間毎に経時的に変化させる。
【００１８】
第３の態様の具体例では、走査線を選択する単位期間のうち駆動信号を指定階調に応じた時間変化率で変化させる以前の初期化期間において、信号線に供給する駆動信号を基準電位に設定するとともに駆動トランジスタをオン状態に制御することで、保持容量の両端間の電圧を、駆動トランジスタの閾値電圧に漸近させた電圧に初期化する。以上の態様においては、駆動信号の供給用の信号線が保持容量の両端間の電圧の初期化に兼用されるから、保持容量の両端間の電圧の初期化に専用される配線が必要な方法と比較して、画素回路の構成が簡素化されるという利点がある。以上の態様の具体例は、例えば第８実施形態として後述される。
【００１９】
第３の態様の具体例では、各走査線に対応する画素回路の保持容量の両端間の電圧を、当該走査線を選択する単位期間の開始前の２以上の単位期間にわたって、当該画素回路の駆動トランジスタの閾値電圧に漸近させることで初期化する。以上の態様においては、保持容量の両端間の電圧を駆動トランジスタの閾値電圧に漸近させる動作が２以上の単位期間にわたって実行されるから、走査線を選択する単位期間内で保持容量の両端間の電圧を閾値電圧に漸近させる方法と比較して、保持容量の両端間の電圧を駆動トランジスタの閾値電圧に充分に接近させることができる。
【００２０】
保持容量の両端間の電圧を２以上の単位期間にわたって駆動トランジスタの閾値電圧に漸近させる方法としては、例えば、複数の走査線の各々を、第１期間と第２期間とを各々が含む複数の単位期間のうち当該走査線に対応する単位期間の第２期間と、当該第２期間の開始前の２以上の第１期間とにおいて選択し、第２期間において選択した走査線に対応する画素回路の選択スイッチがオフ状態に遷移する時点における駆動信号の電位の時間変化率が、当該画素回路の指定階調に応じた時間変化率となるように、駆動信号の電位を単位期間毎に経時的に変化させ、２以上の第１期間において、信号線に供給する駆動信号を基準電位に設定するとともに駆動トランジスタをオン状態に制御することで、保持容量の両端間の電圧を当該駆動トランジスタの閾値電圧に漸近させる方法が好適である。以上の態様においては、駆動信号の供給用の信号線が保持容量の両端間の電圧の初期化に兼用されるから、保持容量の両端間の電圧の初期化に専用される配線が必要な方法と比較して、画素回路の構成が簡素化されるという利点がある。なお、第１期間と第２期間との先後および比率は本発明において任意である。以上の態様の具体例は、例えば第９実施形態として後述される。
【００２１】
保持容量の両端間の電圧を２以上の単位期間にわたって駆動トランジスタの閾値電圧に漸近させる別の方法としては、例えば、各走査線を選択する単位期間の開始前の２以上の単位期間にわたって、当該走査線に対応する画素回路の駆動トランジスタのゲートに給電線から基準電位を供給するとともに駆動トランジスタをオン状態に制御することで、保持容量の両端間の電圧を駆動トランジスタの閾値電圧に漸近させる方法が好適である。以上の態様においては、２以上の単位期間の各々の全体が保持容量の両端間の電圧の初期化に利用されるから、保持容量の両端間の電圧を駆動トランジスタの閾値電圧に充分に漸近させるために必要な単位期間の個数が削減されるという利点がある。なお、以上の態様の具体例は、例えば第１０実施形態として後述される。
【００２２】
本発明は、発光装置としても特定される。本発明に係る発光装置は、相互に直列に接続された発光素子および駆動トランジスタと、発光素子と駆動トランジスタとの間の経路と駆動トランジスタのゲートとの間に介在する保持容量とを含む画素回路と、以上の各態様に係る駆動方法で画素回路を駆動する駆動回路とを具備する。以上の構成の発光装置によれば、本発明に係る駆動方法と同様の作用および効果が実現される。
【００２３】
本発明に係る発光装置は各種の電子機器に利用される。電子機器の典型例は、発光装置を表示装置として利用した機器である。本発明に係る電子機器としてはパーソナルコンピュータや携帯電話機が例示される。もっとも、本発明に係る発光装置の用途は画像の表示に限定されない。例えば、光線の照射によって感光体ドラムなどの像担持体に潜像を形成するための露光装置（光ヘッド）としても本発明の発光装置が適用される。
【発明を実施するための最良の形態】
【００２４】
＜Ａ：駆動の原理＞
本発明の具体的な形態の説明に先立って、各形態にて画素回路の駆動に利用される原理を説明する。図１に示すように、給電線１６と給電線１８とを連結する経路上にＮチャネル型の駆動トランジスタＴDRと容量ＣE（容量値ｃp1）とが直列に配置された回路を想定する。
【００２５】
給電線１６には電位ＶELが供給され、給電線１８には電位ＶCT（ＶCT＜ＶEL）が供給される。駆動トランジスタＴDRのドレインは給電線１６に接続され、容量ＣEは駆動トランジスタＴDRのソースと給電線１８との間に介在する。駆動トランジスタＴDRのゲートとソースとの間には保持容量ＣST（容量値ｃp2）が介在する。したがって、駆動トランジスタＴDRのゲートの電位ＶGとソースの電位ＶSとの差分の電圧ＶGS（ＶGS＝ＶG−ＶS）が保持容量ＣSTの両端間に印加される。
【００２６】
駆動トランジスタＴDRのゲートには駆動信号Ｘが供給される。駆動信号Ｘの電位ＶXは、図２に示すように経時的に変化する。図２においては、電位ＶXが所定の時間変化率ＲX（ＲX＝ｄＶX/ｄt）で直線的に上昇する場合が例示されている。また、図２には、駆動トランジスタＴDRの電気的な特性（例えば移動度や閾値電圧）が特性Ｐaである場合と特性Ｐbである場合との各々についてソースの電位ＶSの時間的な変化が併記されている。
【００２７】
駆動信号Ｘの供給で駆動トランジスタＴDRのゲートの電位ＶG（電位ＶX）が上昇し、駆動トランジスタＴDRのゲート−ソース間の電圧ＶGSが駆動トランジスタＴDRの閾値電圧ＶTHを上回ると、駆動トランジスタＴDRのドレイン−ソース間には電流ＩDSが流れる。電流ＩDSは以下の数式(1)で表現される。数式(1)のμは駆動トランジスタＴDRの移動度である。また、Ｗ/Ｌは、駆動トランジスタＴDRのチャネル長Ｌに対するチャネル幅Ｗの相対比であり、Ｃoxは、駆動トランジスタＴDRのゲート絶縁膜の単位面積毎の容量値である。
ＩDS＝１/２・μ・Ｗ/Ｌ・Ｃox・（ＶGS−ＶTH）２  ……(1)
【００２８】
一方、駆動トランジスタＴDRに電流ＩDSが流れると容量ＣEおよび保持容量ＣSTに電荷が充電されるから、図２のように駆動トランジスタＴDRのソースの電位ＶSは時間変化率ＲS（ＲS＝ｄＶS/ｄt）で経時的に変化する。電流ＩDSと駆動トランジスタＴDRのソースの電位ＶSとの間には以下の数式(2)の関係が成立する。
ＩDS＝ｄＱ/ｄt
＝ｃp2・（ｄＶS/ｄt−ｄＶX/ｄt）＋ｃp1・ｄＶS/ｄt  ……(2)
【００２９】
図２の部分ａのように、駆動トランジスタＴDRのソースの電位ＶSの時間変化率（すなわち、時間ｔに対する電位ＶSの勾配）ＲSが駆動信号Ｘの電位ＶXの時間変化率ＲXを下回る場合、駆動トランジスタＴDRのゲート−ソース間の電圧ＶGSは経時的に増加する。数式(1)が示すように、電圧ＶGSが増加すると電流ＩDSは増加する。そして、数式(2)から理解されるように、電流ＩDSが増加すると時間変化率ＲSも増加する。すなわち、時間変化率ＲSが時間変化率ＲXを下回ると時間変化率ＲSは増加する。
【００３０】
一方、図２の部分ｂのように、駆動信号Ｘの電位ＶXの時間変化率ＲXがソースの電位ＶSの時間変化率ＲSを下回る場合、ゲート−ソース間の電圧ＶGSは経時的に減少するから、数式(1)から理解されるように電流ＩDSは減少する。電流ＩDSが減少すると時間変化率ＲSは減少する。すなわち、時間変化率ＲSが時間変化率ＲXを上回ると時間変化率ＲSは減少する。
【００３１】
以上のように、駆動トランジスタＴDRのソースの電位ＶSの時間変化率ＲSは、駆動トランジスタＴDRの特性に拘わらず（すなわち、特性Ｐaおよび特性Ｐbの何れであっても）、駆動信号Ｘの電位ＶXの時間変化率ＲXに経時的に接近し、最終的には時間変化率ＲXに到達する。時間変化率ＲSが時間変化率ＲXに合致した状態（以下「平衡状態」という）は、駆動信号Ｘの電位ＶXの上昇に起因した電圧ＶGSの増加と電流ＩDSによる充電に起因した電圧ＶGSの減少とが平衡した状態とも表現できる。
【００３２】
平衡状態では時間変化率ＲSと時間変化率ＲXとが合致する（ＲS＝ｄＶS/ｄt＝ＲX＝ｄＶX/ｄt）から、数式(2)は以下の数式(3)に変形される。すなわち、駆動トランジスタＴDRに流れる電流ＩDSは、駆動信号Ｘの電位ＶXの時間変化率ＲXに比例する。さらに詳述すると、電流ＩDSは、容量ＣEの容量値ｃp1および電位ＶXの時間変化率ＲXのみに応じて決定され、駆動トランジスタＴDRの移動度μや閾値電圧ＶTHには依存しない。
ＩDS＝ｃp2・（ｄＶS/ｄt−ｄＶX/ｄt）＋ｃp1・ｄＶS/ｄt
＝ｃp2・（ｄＶX/ｄt−ｄＶX/ｄt）＋ｃp1・ｄＶX/ｄt
＝ｃp1・ＲX  ……(3)
【００３３】
駆動トランジスタＴDRのゲート−ソース間の電圧ＶGSは、移動度μや閾値電圧ＶTHに依存しない数式(3)の電流ＩDSが駆動トランジスタＴDRを流れるのに必要な電圧（すなわち、数式(3)の電流ＩDSに対して数式(1)の関係を満たす電圧ＶGS）に、自身の移動度μや閾値電圧ＶTHに応じて自動的に設定される。例えば、駆動トランジスタＴDRの特性が図２の特性Ｐaである場合には電圧ＶGSが電圧Ｖaに設定され、駆動トランジスタＴDRの特性が図２の特性Ｐbである場合には電圧ＶGSが電圧Ｖbに設定される。平衡状態においては、特性Ｐaおよび特性Ｐbの何れの場合でも、容量値ｃp1および時間変化率ＲXのみに応じた共通の電流ＩDSが駆動トランジスタＴDRに流れる。
【００３４】
以上の方法で設定されたゲート−ソース間の電圧ＶGSが保持容量ＣSTに保持されることで、駆動トランジスタＴDRには、駆動信号Ｘ（電位ＶX）の供給の停止後も継続的に電流ＩDSが流れる。以下に例示する各形態では、発光素子の駆動用の電流（以下「駆動電流」という）ＩDRとして電流ＩDSを利用する。数式(3)を参照して説明したように電流ＩDSは駆動トランジスタＴDRの特性（移動度μや閾値電圧ＶTH）に依存しないから、駆動トランジスタＴDRの特性に起因した駆動電流ＩDRの誤差（さらには発光素子の輝度の誤差）を補償することが可能である。一方、駆動電流ＩDR（電流ＩDS）は駆動信号Ｘの電位ＶXの時間変化率ＲXに応じて決定されるから、駆動信号Ｘの時間変化率ＲXを制御することで駆動電流ＩDRの電流量（さらには発光素子の輝度）を可変に設定することが可能である。
【００３５】
＜Ｂ：第１実施形態＞
＜Ｂ−１：発光装置の構成および動作＞
図３は、本発明の第１実施形態に係る発光装置のブロック図である。発光装置１００は、画像を表示する表示装置として電子機器に搭載される。図３に示すように、発光装置１００は、複数の画素回路Ｕが配列された素子部１０と、各画素回路Ｕを駆動する駆動回路３０とを具備する。駆動回路３０は、走査線駆動回路３２と信号線駆動回路３４とを含んで構成される。駆動回路３０は、例えば複数の集積回路に分散して実装される。ただし、駆動回路３０の少なくとも一部は、画素回路Ｕとともに基板上に形成された薄膜トランジスタで構成され得る。
【００３６】
素子部１０には、Ｘ方向に延在するｍ本の走査線１２と、Ｘ方向に交差するＹ方向に延在するｎ本の信号線１４とが形成される（ｍ，ｎは自然数）。複数の画素回路Ｕは、各走査線１２と各信号線１４との交差に配置されて縦ｍ行×横ｎ列の行列状に配列する。走査線駆動回路３２は、走査信号ＧA[1]〜ＧA[m]を各走査線１２に出力する。信号線駆動回路３４は、各画素回路Ｕに指定される階調（以下「指定階調」という）Ｄに応じた駆動信号Ｘ（Ｘ[1]〜Ｘ[n]）各信号線１４に出力する。
【００３７】
図４は、画素回路Ｕの回路図である。図４においては、第ｉ行（ｉ＝１〜ｍ）の第ｊ列目（ｊ＝１〜ｎ）に位置する１個の画素回路Ｕのみが代表的に図示されている。図４に示すように、画素回路Ｕは、発光素子Ｅと駆動トランジスタＴDRと保持容量ＣSTと選択スイッチＴSLとを含んで構成される。
【００３８】
発光素子Ｅと駆動トランジスタＴDRとは、給電線１６（電位ＶEL）と給電線１８（電位ＶCT）とを連結する経路上に直列に配置される。発光素子Ｅは、相対向する陽極と陰極との間に有機ＥＬ（Electroluminescence）材料の発光層を介在させた有機ＥＬ素子である。図４に示すように、発光素子Ｅには図１の容量ＣE（容量値ｃp1）が付随する。
【００３９】
駆動トランジスタＴDRは、給電線１６にドレインが接続されるとともにソースが発光素子Ｅの陽極に接続されたＮチャネル型のトランジスタ（例えば薄膜トランジスタ）である。保持容量ＣST（容量値ｃp2）は、駆動トランジスタＴDRのソース（すなわち、発光素子Ｅと駆動トランジスタＴDRとの間の経路）と駆動トランジスタＴDRのゲートとの間に介在する。
【００４０】
選択スイッチＴSLは、信号線１４と駆動トランジスタＴDRのゲートとの間に介在して両者間の電気的な接続（導通／非導通）を制御する。図４に示すように、例えばＮチャネル型のトランジスタ（薄膜トランジスタ）が選択スイッチＴSLとして好適に採用される。第ｉ行に属するｎ個の画素回路Ｕの各々の選択スイッチＴSLのゲートは第ｉ行の走査線１２に対して共通に接続される。
【００４１】
次に、図５を参照して、第ｉ行の第ｊ列目に位置する画素回路Ｕに着目しながら駆動回路３０の動作（画素回路Ｕの駆動方法）を説明する。走査線駆動回路３２は、垂直走査期間内のｍ個の単位期間Ｈ（Ｈ[1]〜Ｈ[m]）の各々において走査信号ＧA[1]〜ＧA[m]を順番に選択電位ＶSL（アクティブレベル）に設定することで各走査線１２（各行のｎ個の画素回路Ｕの集合）を順次に選択する。図５に示すように、走査信号ＧA[i]は、垂直走査期間内の第ｉ番目の単位期間Ｈ[i]に選択電位ＶSLの選択パルスＰSLが配置された電圧信号である。選択パルスＰSL（選択電位ＶSL）は走査線１２の選択を意味する。走査信号ＧA[i]が選択電位ＶSLに遷移すると（すなわち選択パルスＰSLが供給されると）、第ｉ行に属するｎ個の画素回路Ｕの各々の選択スイッチＴSLが一斉にオン状態に変化する。
【００４２】
信号線駆動回路３４は、単位期間Ｈを周期として電位ＶXが経時的に変化する駆動信号Ｘ[1]〜Ｘ[n]を生成して各信号線１４に出力する。駆動信号Ｘ[1]〜Ｘ[n]の各々の電位ＶXは、単位期間Ｈの始点ｔsにて基準電位ＶRSに設定されるとともに単位期間Ｈの始点ｔsから終点ｔeにかけて時間変化率ＲX（ＲX＝ｄＶX/ｄt）で直線的に上昇する。すなわち、駆動信号Ｘ[1]〜Ｘ[n]は、単位期間Ｈを周期とするランプ波形（鋸歯状波形）の電圧信号である。
【００４３】
第ｉ行の走査線１２が選択される単位期間Ｈ[i]において第ｊ列の信号線１４に供給される駆動信号Ｘ[j]の電位ＶXの時間変化率ＲX[i,j]は、第ｉ行の第ｊ列目に位置する画素回路Ｕの指定階調Ｄに応じて可変に設定される。さらに詳述すると、図６の例示のように、画素回路Ｕの指定階調Ｄが高い（発光素子Ｅに供給されるべき駆動電流ＩDRが大きい）ほど、単位期間Ｈ[i]における駆動信号Ｘ[j]の電位ＶXの時間変化率ＲX[i,j]は高い数値に設定される。すなわち、画素回路Ｕの指定階調Ｄが高いほど、時間軸に対する電位ＶXの勾配が急峻となる。
【００４４】
例えば、指定階調Ｄが最低階調ＤMIN（発光素子Ｅに駆動電流ＩDRが供給されない黒表示）である場合、駆動信号Ｘ[j]の電位ＶXの時間変化率ＲX[i,j]は最小値ｒ_min（ゼロ）に設定される。すなわち、単位期間Ｈ[i]内で駆動信号Ｘ[j]の電位ＶXは変化しない。一方、指定階調Ｄが最高階調ＤMAX（白表示）である場合、駆動信号Ｘ[j]の電位ＶXの時間変化率ＲX[i,j]は最大値ｒ_maxに設定される。また、中間調ＤHが指定された場合の時間変化率ＲX[i,j]の設定値ｒ_Hは、中間調ＤHよりも低い中間調ＤLが指定された場合の時間変化率ＲX[i,j]の設定値ｒ_Lを上回る。
【００４５】
最高階調ＤMAXに対応する時間変化率ＲX[i,j]の最大値ｒ_maxは、駆動信号Ｘ[j]の電位ＶXと選択パルスＰSLの選択電位ＶSLとの差分（選択スイッチＴSLのゲート−ソース間の電圧）が、単位期間Ｈ[i]の終点ｔeにて選択スイッチＴSLの閾値電圧ＶTH_SLを上回るように設定される。すなわち、図６に示すように、指定階調Ｄが最低階調ＤMINから最高階調ＤMAXまでの何れの階調であっても、単位期間Ｈ[i]の終点ｔeにおける駆動信号Ｘ[j]の電位ＶXは、選択電位ＶSLよりも閾値電圧ＶTH_SLだけ低い電位ＶOFFを下回る。したがって、選択スイッチＴSLは、指定階調Ｄに拘わらず、単位期間Ｈ[i]の終点ｔe（選択パルスＰSLの後縁）が到来することでオフ状態に遷移する。
【００４６】
走査線駆動回路３２から走査信号ＧA[i]の選択パルスＰSLが供給されることで第ｉ行の各画素回路Ｕの選択スイッチＴSLがオン状態に変化すると、駆動トランジスタＴDRのゲートが信号線１４に導通する。したがって、第ｉ行の第ｊ列目に位置する画素回路Ｕの駆動トランジスタＴDRのゲートには図１の例示と同様に駆動信号Ｘ[j]が供給され、図５に示すように、当該画素回路Ｕの指摘階調Ｄに応じた時間変化率ＲX[i,j]で駆動トランジスタＴDRのゲートの電位ＶGが経時的に上昇する。一方、電位ＶGの変動に応じた電流ＩDSが駆動トランジスタＴDRのドレイン−ソース間に流れることでソースの電位ＶSは経時的に上昇する。そして、電位ＶSの時間変化率ＲS（ＲS＝ｄＶS/ｄt）が駆動信号Ｘ[j]の電位ＶXの時間変化率ＲX[i,j]に合致する平衡状態に到達すると、容量ＣEの容量値ｃp1および時間変化率ＲX[i,j]のみに依存する電流ＩDSが単位期間Ｈ[i]の終点ｔeまで駆動トランジスタＴDRを流れる。
【００４７】
単位期間Ｈ[i]の終点ｔeにて選択パルスＰSLの供給が終了すると（すなわち、走査信号ＧA[i]が選択電位ＶSLから立下がると）、選択スイッチＴSLがオフ状態に変化することで駆動トランジスタＴDRのゲートに対する駆動信号Ｘ[j]の供給が停止する。図５に示すように、保持容量ＣSTには、駆動信号Ｘ[j]の供給が停止した時点で駆動トランジスタＴDRを流れていた電流ＩDSに対応する電圧ＶSETが保持される。すなわち、電圧ＶSETは、容量ＣEの容量値ｃp1と時間変化率ＲX[i,j]とで決定される（すなわち駆動トランジスタＴDRの移動度μや閾値電圧ＶTHに依存しない）数式(3)の電流ＩDSを駆動トランジスタＴDRに流すために必要なゲート−ソース間の電圧ＶGSである。
【００４８】
保持容量ＣSTに電圧ＶSETが保持されることで、駆動トランジスタＴDRのドレイン−ソース間には駆動信号Ｘ[j]の供給の停止後も電流ＩDSが流れる。したがって、駆動トランジスタＴDRのソースの電位ＶSは経時的に上昇する。一方、選択スイッチＴSLがオフ状態に遷移すると、駆動トランジスタＴDRのゲートは電気的なフローティング状態となる。したがって、図５に示すように、駆動トランジスタＴDRのゲートの電位ＶGはソースの電位ＶSに連動して上昇する。すなわち、駆動トランジスタＴDRのゲート−ソース間の電圧ＶGSが単位期間Ｈ[i]にて設定された電圧ＶSETに維持されたまま、容量ＣEの両端間の電圧（駆動トランジスタＴDRのソースの電位ＶS）が徐々に増加する。そして、容量ＣEの両端間の電圧が発光素子Ｅの閾値電圧ＶTH_OLEDに到達すると、電圧ＶSETに対応する電流ＩDSが駆動電流ＩDRとして発光素子Ｅを流れる。発光素子Ｅは、駆動電流ＩDRの電流量に応じた輝度（指定階調Ｄ）で発光する。
【００４９】
駆動電流ＩDRは、駆動信号Ｘ[j]の供給の停止時に駆動トランジスタＴDRを流れていた電流ＩDSと略同等の電流量に維持される。電流ＩDSは、指定階調Ｄに応じて可変に設定された時間変化率ＲX[i,j]に依存するから（数式(3)）、発光素子Ｅには指定階調Ｄに応じた電流量の駆動電流ＩDRが供給される。以上のように、第ｉ行の第ｊ列目に位置する画素回路Ｕの発光素子Ｅには、単位期間Ｈ[i]における駆動信号Ｘ[j]の電位ＶXの時間変化率ＲX[i,j]（指定階調Ｄ）に対応した駆動電流ＩDRが、当該単位期間Ｈ[i]の経過後に供給される。
【００５０】
例えば、最低階調ＤMINが指定された場合の時間変化率ＲX[i,j]は最小値ｒ_min（ゼロ）に設定されるから、駆動電流ＩDRの電流量がゼロに設定されることで発光素子Ｅは最低階調（黒表示）に制御される。駆動信号Ｘ[j]の時間変化率ＲX[i,j]が中間調Ｄ_Hに対応する設定値ｒ_Hに設定された場合の駆動電流ＩDRの電流量（発光素子Ｅの階調）は、時間変化率ＲX[i,j]が中間調Ｄ_Lに対応する設定値ｒ_L（ｒ_L＜ｒ_H）に設定された場合の駆動電流ＩDRの電流量を上回る。また、最高階調ＤMAXが指定された場合の時間変化率ＲX[i,j]は最大値ｒ_maxに設定されるから、駆動電流ＩDRの電流量は最大値に設定されることで発光素子Ｅは最高階調（白表示）に制御される。駆動電流ＩDRの供給は、次回に第ｉ行の走査線１２が選択される単位期間Ｈ[i]にて保持容量ＣSTの両端間の電圧ＶSETが更新されるまで継続される。
【００５１】
以上の形態においては、駆動信号Ｘ[j]の電位ＶXの時間変化率ＲX[i,j]に応じた電流ＩDS（駆動トランジスタＴDRの移動度μや閾値電圧ＶTHに依存しない電流）が駆動トランジスタＴDRを流れるように保持容量ＣSTの両端間の電圧ＶSETが設定されるから、各画素回路Ｕの指定階調Ｄに拘わらず、駆動トランジスタＴDRの特性（移動度μや閾値電圧ＶTH）に起因した駆動電流ＩDRの誤差（ひいては発光素子Ｅの輝度の誤差）を抑制することが可能である。したがって、例えば、素子部１０に表示される画像の階調のムラが抑制されるという利点がある。
【００５２】
＜Ｂ−２：信号線駆動回路３４の構成＞
図７は、信号線駆動回路３４のブロック図である。信号線駆動回路３４は、電位生成回路５２と、信号線１４の総数（画素回路Ｕの列数）に相当するｎ個の信号生成回路５４とを含んで構成される。電位生成回路５２は、画素回路Ｕに指定される指定階調Ｄの総数（種類数）に相当するｋ種類の電位ＶD（ＶD[1]〜ＶD[k]）を生成する。例えば図７に示すように、相互に直列に接続された複数の抵抗で所定の電圧ＶREFを分圧するラダー抵抗回路が電位生成回路５２として好適である。ｋ種類の電位ＶD[1]〜ＶD[k]はｎ個の信号生成回路５４に対して共通に供給される。
【００５３】
第ｊ段目の信号生成回路５４は駆動信号Ｘ[j]を生成して第ｊ列の信号線１４に出力する。図７に示すように、各信号生成回路５４は、電位選択部６２と電流生成部６４と波形生成部６６とを含んで構成される。第ｊ段目の信号生成回路５４の電位選択部６２は、電位生成回路５２が生成したｋ種類の電位ＶD[1]〜ＶD[k]のうち第ｊ列の各画素回路Ｕの指定階調Ｄに対応する電位ＶDを単位期間Ｈ毎に選択する。指定階調Ｄが高いほど電位選択部６２は低い電位ＶDを選択する。
【００５４】
電流生成部６４は、電位選択部６２が選択した電位ＶDに応じた電流Ｉを生成する定電流源である。電流生成部６４は、例えば抵抗（抵抗値Ｒ0）６４１とオペアンプ６４３とトランジスタ６４５とを組合せた回路で実現される。電圧ＶREFが供給される配線とトランジスタ６４５のソースとの間に抵抗６４１が介在する。トランジスタ６４５のソースはオペアンプ６４３の反転入力端(-)に接続され、ゲートはオペアンプ６４３の出力端に接続される。電位選択部６２が選択した電位ＶDはオペアンプ６４３の非反転入力端(+)に供給される。以上の構成において、トランジスタ６４５は、電位選択部６２が選択した電位ＶDと自身のソースの電位とが略同等となるように電流Ｉ（Ｉ＝(ＶREF−ＶD)/Ｒ0）を生成する。
【００５５】
波形生成部６６は、容量素子６６１とスイッチ６６３とバッファ６６５とを含んで構成される。容量素子６６１（容量値Ｃ0）は、トランジスタ６４５のドレインに接続された電極ｅAと、基準電位ＶRSが供給される配線に接続された電極ｅBとで構成される。電極ｅAと電極ｅBとの間にスイッチ６６３が介在し、電極ｅAと第ｊ列の信号線１４との間にバッファ６６５が介在する。
【００５６】
以上の構成において、単位期間Ｈ[i]の始点ｔsにてスイッチ６６３が瞬間的に導通することで容量素子の電極ｅAの電位は基準電位ＶRSに初期化される。そして、電流生成部６４からの電流Ｉの供給による容量素子６６１の充電に連動して電極ｅAの電位は基準電位ＶRSから経時的に上昇する。電極ｅAの電位に応じてバッファ６６５から出力される電位ＶXが駆動信号Ｘ[j]として信号線１４に供給される。したがって、駆動信号Ｘ[j]の電位ＶXは、以下の数式(4)の時間変化率ＲX（ｄＶX/ｄt）で変化する。電位選択部６２は指定階調Ｄに応じて数式(4)の電位ＶDを選択するから、駆動信号Ｘ[j]の電位ＶXの時間変化率ＲXは、図６を参照して説明したように指定階調Ｄに応じて可変に設定される。
ＲX＝ｄＶX/ｄt＝(ＶREF−ＶD)/Ｒ0/Ｃ0  ……(4)
【００５７】
なお、図８に示すように、指定階調Ｄの総数に相当するｋ種類の信号ｘ（ｘ[1]〜ｘ[k]）のうち指定階調Ｄに応じて選択した１種類の信号ｘを駆動信号Ｘ[j]として信号線１４に出力する構成も採用される。図８の信号線駆動回路３４は、電位生成回路５２と、指定階調Ｄの種類数に相当するｋ個の信号生成回路５５と、信号線１４の総数に相当するｎ個の選択部５６とを含んで構成される。信号生成回路５５は、図７の信号生成回路５４から電位選択部６２を省略した構成である。信号生成回路５５の電流生成部６４におけるオペアンプ６４３の非反転入力端(+)には、電位生成回路５２が生成したｋ種類の電位ＶD[1]〜ＶD[k]の何れかが供給される。
【００５８】
以上の構成において、各信号生成回路５５における波形生成部６６のバッファ６６５は、電位生成回路５２から当該信号生成回路５５に供給される電位ＶDに応じた時間変化率で単位期間Ｈ毎に電位が変化する信号ｘ（ｘ[1]〜ｘ[k]）を出力する。第ｊ番目の選択部５６は、各信号生成回路５５が生成したｋ種類の信号ｘ（ｘ[1]〜ｘ[k]）のうち第ｊ列目の画素回路Ｕの指定階調Ｄに応じた信号ｘを単位期間Ｈ毎に駆動信号Ｘ[j]として選択して第ｊ列の信号線１４に出力する。したがって、駆動信号Ｘ[j]の電位ＶXの時間変化率ＲXは、図６を参照して説明したように指定階調Ｄに応じて可変に設定される。
【００５９】
なお、図７や図８に例示した信号線駆動回路３４が出力する駆動信号Ｘ[j]の電位ＶXは、図９に示すように、電位生成回路５２や電流生成部６４にて使用される電圧ＶREFに応じた所定値ＶX_maxを下回る範囲内で変化する。すなわち、図９に示すように、単位期間Ｈ[i]内で電位ＶXが上昇して所定値ＶX_maxに接近するほど時間変化率ＲXは低下する。駆動電流ＩDRの電流量は、駆動信号Ｘ[j]の供給の停止時（単位期間Ｈ[i]の終点ｔe）における電位ＶXの時間変化率ＲXに応じて決定されるから、所定値ＶX_maxへの接近に起因して時間変化率ＲXが低下し始める時点ｔaの経過後に選択スイッチＴSLがオフ状態に遷移する構成では、発光素子Ｅの実際の階調が指定階調Ｄを下回るという問題が発生する。指定階調Ｄが高いほど電位ＶXの上昇量が増加する（すなわち所定値ＶX_maxに接近し易い）から、階調の不足は高階調側で特に深刻となる。電位ＶXの上限値ＶX_maxが充分に高い電位となるように信号線駆動回路３４を構成することも可能ではあるが、信号線駆動回路３４に高い耐圧性能が要求される（ひいては信号線駆動回路３４のコストが増大する）という問題がある。
【００６０】
以上の問題を解決する観点から、図９に示すように、駆動信号Ｘ[j]の時間変化率ＲXが低下し始める時点ｔaの手前の時点ｔbにて選択スイッチＴSLがオフ状態に遷移するように単位期間Ｈの終点ｔe（選択パルスＰSLの後縁）を選定した構成が好適に採用される。以上の構成によれば、駆動信号Ｘ[j]の供給の停止時における電位ＶXの時間変化率ＲXが指定階調Ｄに応じて正確に設定されるから、発光素子Ｅの階調を高精度に制御できるという利点がある。
【００６１】
＜Ｃ：駆動信号Ｘ[j]の波形の具体例＞
図６の例示のように、単位期間Ｈ[i]の始点ｔsから駆動信号Ｘ[j]の電位ＶXを継続的に上昇させ、かつ、指定階調Ｄに拘わらず単位期間Ｈ[i]の終点ｔeにて選択スイッチＴSLをオフ状態に制御するという条件のもとで、駆動信号Ｘ[j]の電位ＶXを高い時間変化率ＲXで変化させる場合（すなわち、駆動電流ＩDRの電流量を充分に確保する場合）、駆動信号Ｘ[j]の電位ＶXを単位期間Ｈ[i]の終点ｔeにて非常に高い電位に設定する必要がある。したがって、信号線駆動回路３４に高い耐圧性能が要求される。また、各単位期間Ｈ[i]の終点ｔeまで選択スイッチＴSLをオン状態に維持するためには、単位期間Ｈ[i]の終点ｔeにおける駆動信号Ｘ[j]の電位ＶXよりも選択スイッチＴSLの閾値電圧ＶTH_SLだけ高い電圧を上回るように選択パルスＰSLの選択電位ＶSLを設定する必要があるから、走査線駆動回路３２にも高い耐圧性能が要求される。以上の事情を考慮して、駆動信号Ｘ[j]の振幅を低減する（したがって、走査線駆動回路３２や信号線駆動回路３４に要求される耐圧性能を低減する）ための構成を第２実施形態から第４実施形態として以下に例示する。
【００６２】
第２実施形態から第４実施形態の説明に先立って、駆動信号Ｘ[j]の電位ＶXの時間変化率ＲXと、駆動トランジスタＴDRのソースの電位ＶSが平衡状態に到達する（すなわち電位ＶSの時間変化率ＲSが駆動信号Ｘ[j]の時間変化率ＲXに収束する）までの時間との相関を検討する。
【００６３】
図１０および図１１は、駆動信号Ｘの電位ＶXの時間変化率ＲXと駆動トランジスタＴDRのドレイン−ソース間の電流ＩDSとの相関を示すグラフである。図１０の部分(A)は、図１０の部分(B)のように、高目の中間調ＤHに対応した時間変化率ＲX（ｒ_H）で電位ＶXを変化させた場合の電流ＩDSの時間的な変化を示す。一方、図１１の部分(A)は、図１１の部分(B)のように、低目の中間調ＤLに対応した時間変化率ＲX（ｒ_L）で電位ＶXを変化させた場合の電流ＩDSの時間的な変化を示す。図１０および図１１の何れにおいても、電位ＶXが変化し始めた時点（グラフの左端）では、駆動トランジスタＴDRのゲート−ソース間の電圧ＶGSを閾値電圧ＶTHの付近の電圧に設定した。したがって、電位ＶXを変化させ始めた時点の電流ＩDSはゼロである。
【００６４】
数式(3)から理解されるように、電流ＩDSの電流量は、駆動信号Ｘ[j]の電位ＶXの変化の開始後に駆動トランジスタＴDRのソースの電位ＶSが平衡状態に到達することで、駆動信号Ｘ[j]の時間変化率ＲXに対応した所定値に安定する。図１０の部分(A)と図１１の部分(A)とを対比すると、時間変化率ＲXが低いほど、平衡状態に到達するまでに必要な時間Δｔが長いという傾向が把握される。以上の傾向を踏まえて第２実施形態から第４実施形態を説明する。
【００６５】
＜Ｃ−１：第２実施形態＞
図１２は、本発明の第２実施形態における駆動信号Ｘ[j]の単位期間Ｈ[i]内の波形図である。図１２に示すように、最低階調ＤMINや所定値を下回る中間調ＤLが指定された場合には、第１実施形態と同様に、単位期間Ｈ[i]の終点ｔeにおける駆動信号Ｘ[j]の電位ＶXが電位ＶOFF（選択電位ＶSLよりも選択スイッチＴSLの閾値電圧ＶTH_SLだけ低い電位）を下回るように、駆動信号Ｘ[j]の波形（時間変化率ＲX）が選定される。したがって、最低階調ＤMINや中間調ＤLが指定された場合には、単位期間Ｈ[i]の終点ｔe（選択パルスＰSLの後縁）にて選択スイッチＴSLがオフ状態に変化することで、駆動トランジスタＴDRのゲートに対する駆動信号Ｘ[j]の供給が停止する。
【００６６】
一方、最高階調ＤMAXや所定値を上回る中間調ＤH（ＤH＞ＤL）が指定された場合に、駆動信号Ｘ[j]の電位ＶXと選択パルスＰSLの選択電位ＶSLとの差分が、単位期間Ｈ[i]の途中の時点（選択パルスＰSLの後縁よりも手前の時点）にて選択スイッチＴSLの閾値電圧ＶTH_SLを下回るように、信号線駆動回路３４は駆動信号Ｘ[j]を生成する。すなわち、最高階調ＤMAXや中間調ＤH（ＤH＞ＤL）が指定された場合、駆動信号Ｘ[j]の電位ＶXは、単位期間Ｈ[i]の途中の時点にて電位ＶOFFを上回る。したがって、選択スイッチＴSLは、選択パルスＰSLの後縁の到来前の時点（単位期間Ｈ[i]の途中の時点）にてオフ状態に変化する。
【００６７】
例えば、図１２に示すように、最高階調ＤMAXが指定された場合の駆動信号Ｘ[j]の電位ＶXは、最高階調ＤMAXに対応した時間変化率ＲX[i,j]（ｒ_max）で単位期間Ｈ[i]の始点ｔsから増加するとともに、単位期間Ｈ[i]の途中の時点ｔ_maxにて電位ＶOFFを上回る。したがって、選択スイッチＴSLは時点ｔ_maxにてオン状態からオフ状態に変化する。また、中間調ＤHが指定された場合、単位期間Ｈ[i]の途中の時点ｔ_Hにて駆動信号Ｘ[j]の電位ＶXが電位ＶOFFを上回ることで選択スイッチＴSLはオフ状態に変化する。駆動信号Ｘ[j]の電位ＶXは、電位ＶOFFを上回る電位ＶX_Hに到達した以後においては当該電位ＶX_Hに維持される。なお、図１２においては、電位ＶX_Hが選択電位ＶSLを上回る場合が例示されている。
【００６８】
単位期間Ｈ[i]の始点ｔsから駆動信号Ｘ[j]の電位ＶXが電位ＶOFFを上回るまでの時間は、駆動トランジスタＴDRが平衡状態に到達するまでに必要な時間Δｔ（図１０および図１１）よりも長い時間に設定される。本形態においては、駆動信号Ｘ[j]の電位ＶXを変化させ始める時点ｔsは指定階調Ｄに拘わらず共通であり、かつ、指定階調Ｄが高いほど時間変化率ＲXは高いから、単位期間Ｈ[i]の始点ｔsから駆動信号Ｘ[j]の電位ＶXが電位ＶOFFを上回るまでの時間は、時間変化率ＲXが高いほど短い時間に設定される。図１０および図１１を参照して説明したように、平衡状態に到達するまでの時間Δｔは時間変化率ＲXが高いほど短いから、図１２のように指定階調Ｄが高いほど駆動信号Ｘ[j]の供給の時間が短いとは言っても、駆動トランジスタＴDRを確実に平衡状態に到達させる（ソースの電位ＶSの時間変化率ＲSを駆動信号Ｘ[j]の電位ＶXの時間変化率ＲXに合致させる）ことが可能である。
【００６９】
以上の形態においては、駆動信号Ｘ[j]の電位ＶXが選択パルスＰSLの選択電位ＶSLに対して上昇することで選択スイッチＴSLがオフ状態に変化して駆動トランジスタＴDRのゲートに対する駆動信号Ｘ[j]の供給が停止するから、駆動電流ＩDRの電流量の確保のために駆動信号Ｘ[j]の電位ＶXを高い時間変化率ＲX（例えば図１２におけるｒ_maxやｒ_H）で変化させた場合でも、電位ＶXの最大値は電位ＶX_Hに抑制される。したがって、指定階調Ｄに拘わらず選択パルスＰSLの後縁で選択スイッチＴSLがオフ状態に変化する第１実施形態と比較すると、走査線駆動回路３２や信号線駆動回路３４に要求される耐圧性能が低減されるという利点がある。
【００７０】
もっとも、指定階調Ｄに拘わらず駆動信号Ｘ[j]の電位ＶXが単位期間Ｈ[i]の終点ｔeにて電位ＶOFFを下回る第１実施形態においては、選択スイッチＴSLがオフ状態に変化する時点が、指定階調Ｄに拘わらず選択パルスＰSLの後縁で規定される。したがって、駆動信号Ｘ[j]の電位ＶXと電位ＶOFFとの高低に応じて選択スイッチＴSLをオフ状態に変化させる第２実施形態と比較して、駆動トランジスタＴDRのゲートに対する駆動信号Ｘ[j]の供給を停止する時点を正確に制御できるという利点がある。
【００７１】
＜Ｃ−２：第３実施形態＞
図１３は、本発明の第３実施形態における駆動信号Ｘ[j]の単位期間Ｈ[i]内の波形図である。第１実施形態や第２実施形態においては、単位期間Ｈ[i]の始点ｔsにて駆動信号Ｘ[j]の電位ＶXが変化し始める場合を例示したが、本形態においては図１３に示すように、単位期間Ｈ[i]の始点ｔs（選択パルスＰSLの前縁）から調整時間ＴAが経過した時点にて駆動信号Ｘ[j]の電位ＶXが基準電位ＶRSから変化し始める。
【００７２】
調整時間ＴAは、指定階調Ｄに応じて可変に設定される。さらに詳述すると、信号線駆動回路３４は、図１３に示すように、指定階調Ｄが高いほど調整時間ＴAが長くなるように駆動信号Ｘ[j]を生成する。例えば、中間調ＤHが指定された場合の調整時間ＴA_Hは中間調ＤLが指定された場合の調整時間ＴA_Lよりも長く、最高階調ＤMAXが指定された場合の調整時間ＴAは最大値ＴA_maxに設定される。図１３の波形の駆動信号Ｘ[j]は、例えば、図７や図８における波形生成部６６のスイッチ６６３を、単位期間Ｈ[i]の始点ｔsから指定階調Ｄに応じた調整時間ＴAが経過した時点までオン状態に維持することで生成される。
【００７３】
単位期間Ｈ[i]のうち駆動信号Ｘ[j]の電位ＶXを時間変化率ＲXで変化させる時間が、駆動トランジスタＴDRを平衡状態に設定するまでに必要な時間Δｔ（図１０および図１１）を上回るように、調整時間ＴAは指定階調Ｄに応じて設定される。したがって、図１３から理解されるように、駆動信号Ｘ[j]の電位ＶXが時間変化率ＲXで変化する時間は指定階調Ｄに応じて変化する。すなわち、指定階調Ｄが高いほど電位ＶXの変化は短い時間に設定される。以上の関係は、平衡状態に到達するまでの時間Δｔが時間変化率ＲXが高いほど短いという図１０および図１１の傾向と整合する。したがって、指定階調Ｄが高いほど駆動信号Ｘ[j]の供給の時間が短いとは言っても、駆動トランジスタＴDRを確実に平衡状態に到達させる（ソースの電位ＶSの時間変化率ＲSを駆動信号Ｘ[j]の電位ＶXの時間変化率ＲXに合致させる）ことが可能である。
【００７４】
以上の形態においては、単位期間Ｈ[i]の始点ｔsから指定階調Ｄに応じた調整時間ＴAが経過した時点から駆動信号Ｘ[j]の電位ＶXが変化し始めるから、図１３に示すように単位期間Ｈ[i]の終点ｔeでの電位ＶXが抑制される。例えば、駆動電流ＩDRの電流量を確保するために、駆動信号Ｘ[j]の電位ＶXを、第１実施形態と比較して高い時間変化率ＲXで変化させた場合でも、第１実施形態と同様に、単位期間Ｈ[i]の終点ｔeにおける駆動信号Ｘ[j]の電位ＶXを、電位ＶOFFを下回る電位に抑制する（したがって、指定階調Ｄに拘わらず選択スイッチＴSLを単位期間Ｈ[i]の終点ｔeにてオフ状態に変化させる）ことが可能である。すなわち、指定階調Ｄに拘わらず単位期間Ｈ[i]の始点ｔsから駆動信号Ｘ[j]の電位ＶXを変化させる第１実施形態と比較すると、走査線駆動回路３２や信号線駆動回路３４に要求される耐圧性能が低減されるという利点がある。
【００７５】
なお、図１３においては、調整時間ＴAを指定階調Ｄに応じて可変に設定したが、調整時間ＴAを指定階調Ｄに依存しない固定値に設定した構成であっても、駆動信号Ｘ[j]の電位ＶXが単位期間Ｈ[i]の始点ｔsから変化し始める第１実施形態と比較すれば、単位期間Ｈ[i]の終点での電位ＶXを抑制できるという所期の効果は実現される。したがって、調整時間ＴAを所定値に固定した構成も採用される。ただし、駆動トランジスタＴDRが平衡状態に到達するまでに必要な時間Δｔは時間変化率ＲXが高いほど短いという図１０および図１１の傾向を考慮すると、図１３のように調整時間ＴAを指定階調Ｄに応じて可変に制御する構成が格別に好適である。
【００７６】
＜Ｃ−３：第４実施形態＞
図１４は、本発明の第４実施形態における駆動信号Ｘ[j]の単位期間Ｈ[i]内の波形図である。第１実施形態から第３実施形態においては、駆動信号Ｘ[j]の電位ＶXを基準電位ＶRSから連続的に変化させる場合を例示した。本形態においては図１４に示すように、駆動信号Ｘ[j]の電位ＶXを基準電位ＶRSから調整電位ＶAに変化させたうえで指定階調Ｄに応じた時間変化率ＲXで経時的に変化させる。駆動信号Ｘ[j]の電位ＶXが基準電位ＶRSから調整電位ＶAに変化する時点は、単位期間Ｈ[i]の始点ｔsから調整時間ＴAが経過した時点である。調整時間ＴAは、第３実施形態と同様に、指定階調Ｄに応じて可変に設定される。
【００７７】
調整電位ＶAは、指定階調Ｄに応じて可変に設定される。さらに詳述すると、信号線駆動回路３４は、指定階調Ｄが高いほど調整電位ＶAが高くなるように駆動信号Ｘ[j]を生成する。例えば、図１４に示すように、中間調ＤHが指定された場合の調整電位ＶA_Hは中間調ＤL（ＤL＜ＤH）が指定された場合の調整電位ＶA_Lよりも高く、最高階調ＤMAXが指定された場合の調整電位ＶAは最大値ＶA_maxに設定される。最低階調ＤMINが指定された単位期間Ｈ[i]にて駆動信号Ｘ[j]の電位ＶXは変化しないから、最低階調ＤMINに対応する調整電位ＶAはゼロ（最小値）である。
【００７８】
以上の構成においては、駆動信号Ｘ[j]の電位ＶXを基準電位ＶRSから調整電位ＶAに上昇させた時点で駆動トランジスタＴDRに数式(2)の電流ＩDSが流れ始めるから、電位ＶXを基準電位ＶRSから連続的に変化させる第１実施形態から第３実施形態と比較すると、単位期間Ｈ[i]内で駆動トランジスタＴDRが平衡状態に到達するまでの時間が短縮される。さらに詳述すると以下の通りである。
【００７９】
図１５には、単位期間Ｈ[i]内の時点ｔA1にて電位ＶXを基準電位ＶRSから時間変化率ＲXで連続的に変化させ始めた場合の駆動信号Ｘ[j]および電流ＩDS（破線）と、時点ｔA2にて基準電位ＶRSから調整電位ＶAに変化させたうえで時間変化率ＲXで変化させた本形態における駆動信号Ｘ[j]および電流ＩDS（実線）とが図示されている。
【００８０】
図１５に破線で示すように、電位ＶXを基準電位ＶRSから連続的に変化させた場合、電流ＩDSは時点ｔA1から徐々に増加して指定階調Ｄに応じた目標値Ｉaに到達する。一方、電位ＶXを時点ｔA2にて基準電位ＶRSから調整電位ＶAに変化させた場合、時点ｔA2の直後から目標値Ｉaに近い電流ＩDSが流れることで駆動トランジスタＴDRは速やかに平衡状態に到達する。以上のように駆動トランジスタＴDRが平衡状態に到達するまでの時間が削減されるから、本形態によれば単位期間Ｈ[i]を短縮できる（ひいては走査線１２の本数を増加して表示画像を高精細化できる）という利点がある。
【００８１】
なお、駆動トランジスタＴDRを平衡状態に到達させるためには駆動信号Ｘ[j]の電位ＶXを時間変化率ＲXで継続的に変化させる必要がある。本形態においては電位ＶXを調整電位ＶAに変化させることで駆動トランジスタＴDRが速やかに平衡状態に到達するから、駆動信号Ｘ[j]の電位ＶXを時間変化率ＲXで変化させる時間は短縮される。すなわち、電位ＶXが過度に高い電位に上昇するまで電位ＶXの変化を継続しなくても駆動トランジスタＴDRは平衡状態に到達する。したがって、駆動信号Ｘ[j]の振幅が低減される（ひいては走査線駆動回路３２や信号線駆動回路３４に要求される耐圧性能が低減される）という利点もある。
【００８２】
図１６は、図１４の駆動信号Ｘ[j]を生成する信号線駆動回路３４の部分的な回路図である。図１６に示すように、信号線駆動回路３４には、図７の信号生成回路５４（または図８の信号生成回路５５）毎に調整電位選択部６８１が設置される。指定階調Ｄの総数に相当するｋ種類の調整電位ＶA（ＶA[1]〜ＶA[k]）と基準電位ＶRSとが各調整電位生成部６８１に対して共通に供給される。ｋ種類の調整電位ＶA（ＶA[1]〜ＶA[k]）は、例えば、図７の電位生成回路５２と同様のラダー抵抗回路で生成される。
【００８３】
調整電位選択部６８１は、ｋ種類の調整電位ＶA[1]〜ＶA[k]の何れかを画素回路Ｕの指定階調Ｄに応じて単位期間Ｈ毎に選択する。さらに詳述すると、第ｊ列目の信号生成回路５４の調整電位選択部６８１は、単位期間Ｈ[i]の始点ｔsから調整時間ＴAが経過するまで基準電位ＶRSを選択し、ｋ種類の調整電位ＶA[1]〜ＶA[k]のうち第ｊ列の各画素回路Ｕの指定階調Ｄに対応する調整電位ＶAを調整時間ＴAの経過時から単位期間Ｈ[i]の終点ｔeまで選択する。
【００８４】
調整電位選択部６８１が選択した基準電位ＶRSまたは調整電位ＶAは、バッファ６８３を介して波形生成部６６内の容量素子６６１の電極ｅBに供給される。波形生成部６６のスイッチ６６３は、調整電位選択部６８１が基準電位ＶRSを選択しているときにオン状態に制御され、調整電位選択部６８１が調整電位ＶAを選択しているときにオフ状態に制御される。したがって、駆動信号Ｘ[j]の電位ＶXは、図１４の例示のように、単位期間Ｈ[i]の始点ｔsから調整時間ＴAが経過した時点にて基準電位ＶRSから調整電位ＶAに変化し、指定階調Ｄに応じた時間変化率ＲXで調整電位ＶAから経時的に変化する。
【００８５】
なお、図１４においては、単位期間Ｈ[i]の始点から調整時間ＴAが経過した時点にて駆動信号Ｘ[j]の電位ＶXを調整電位ＶAに変化させたが、電位ＶXを調整電位ＶAに変化させる時点は適宜に変更される。例えば、指定階調Ｄに拘わらず共通の時点（例えば単位期間Ｈ[i]の始点ｔs）にて電位ＶXを基準電位ＶRSから調整電位ＶAに変化させる構成も採用される。すなわち、駆動信号Ｘ[j]の電位ＶXを調整電位ＶAに設定してから時間変化率ＲXで変化させる構成において、電位ＶXの変化前に調整時間ＴAを確保する第３実施形態の構成は必須ではない。
【００８６】
また、図１４においては調整電位ＶAを指定階調Ｄに応じて可変に設定したが、調整電位ＶAを指定階調Ｄに依存しない固定値に設定した場合であっても、駆動トランジスタＴDRが平衡状態に到達する時間を短縮できるという所期の効果は実現される。したがって、調整電位ＶAを指定階調Ｄに依存しない所定値に設定した構成も採用される。
【００８７】
＜Ｃ−４：他の形態＞
第２実施形態から第４実施形態を適宜に組合せた構成も好適である。例えば、第３実施形態や第４実施形態において、特定の指定階調Ｄ（最高階調ＤMAXや高目の中間調ＤH）が指定された場合に、第２実施形態と同様に、単位期間Ｈ[i]の途中の時点にて駆動信号Ｘ[j]の電位ＶXが電位ＶOFFを上回る（したがって選択スイッチＴSLがオフ状態に遷移する）構成も採用される。
【００８８】
＜Ｄ：駆動トランジスタＴDRのゲート−ソース間の電圧ＶGSの初期化＞
以上の各形態において、駆動信号Ｘ[j]の供給で駆動トランジスタＴDRを平衡状態に変化させるためには、閾値電圧ＶTHを上回るようにゲート−ソース間の電圧ＶGSを設定することで駆動トランジスタＴDRに電流ＩDSを流す必要がある。しかし、ゲート−ソース間の電圧ＶGSが様々な理由で閾値電圧ＶTHを下回る場合がある。例えば、発光装置１００の電源が投入された直後には電圧ＶGSが不定の状態にあるから閾値電圧ＶTHを下回る可能性がある。また、雑音などの外乱の影響で電圧ＶGSが閾値電圧ＶTHを下回る可能性もある。
【００８９】
そして、単位期間Ｈ[i]の開始の時点における電圧ＶGSが閾値電圧ＶTHと比較して低いほど、駆動信号Ｘ[j]の供給で電圧ＶGSが閾値電圧ＶTHに到達するまでの時間が長くなり、ひいては駆動トランジスタＴDRを平衡状態に到達させるために相当の時間が必要となる場合がある。指定階調Ｄが低い場合には単位期間Ｈ[i]内での駆動トランジスタＴDRのゲートの電位ＶGの上昇が少ないから、低階調が指定される場合に以上の問題は特に顕在化し、例えば１個の単位期間Ｈ[i]内では駆動トランジスタＴDRが平衡状態に到達しない場合も発生し得る。
【００９０】
以下の各形態（第５実施形態から第１０実施形態）においては、駆動トランジスタＴDRのゲート−ソース間の電圧ＶGSを所定の電圧に初期化することで、単位期間Ｈ[i]の開始後に駆動トランジスタＴDRがオン状態に変化するまでの時間（つまり、電圧ＶGSが閾値電圧ＶTHを上回るまでの時間）を短縮する構成を例示する。なお、以下では電圧ＶGSの初期化を第１実施形態に適用した構成を例示するが、同様の構成を第２実施形態から第４実施形態に適用することも当然に可能である。
【００９１】
＜Ｄ−１：第５実施形態＞
図１７は、本発明の第５実施形態の動作を示すタイミングチャートである。図１７においては、発光装置１００の電源が投入された直後に設定された所定の期間（以下「初期化期間」という）ＰRS1内の動作のみが図示されている。初期化期間ＰRS1は、各画素回路Ｕの駆動トランジスタＴDRのゲート−ソース間の電圧ＶGSを初期化するための期間（例えば１個の垂直走査期間）である。初期化期間ＰRS1の経過後に各画素回路Ｕの発光素子Ｅを指定階調Ｄに応じた階調に駆動する動作は以上の各形態と同様である。
【００９２】
初期化期間ＰRS1においては、素子部１０内の総ての画素回路Ｕが、最高階調ＤMAXを指定した場合と同様に駆動される。さらに詳述すると、図１７に示すように、走査線駆動回路３２は、走査信号ＧA[1]〜ＧA[m]を単位期間Ｈ毎に順番に選択電位ＶSLに設定し、信号線駆動回路３４は、駆動信号Ｘ（Ｘ[1]〜Ｘ[n]）の電位ＶXを、最高階調ＤMAXに対応する時間変化率ｒ_maxで単位期間Ｈ毎に変化させる。したがって、初期化期間ＰRS1内の各単位期間Ｈにおいては、各画素回路Ｕにおける駆動トランジスタＴDRのゲートの電位ＶGが充分に上昇し、ゲート−ソース間の電圧ＶGSが閾値電圧ＶTHを上回ることで駆動トランジスタＴDRはオン状態に変化する。すなわち、各画素回路Ｕの保持容量ＣSTの両端間の電圧ＶGSは、駆動トランジスタＴDRがオン状態となる電圧に初期化される。
【００９３】
以上のように各画素回路Ｕの駆動トランジスタＴDRが初期化期間ＰRS1にてオン状態に制御されるから、例えば発光装置１００の電源の投入時に駆動トランジスタＴDRの電圧ＶGSが閾値電圧ＶTHを下回る場合でも、初期化期間ＰRS1の経過後の各単位期間Ｈ（すなわち各画素回路Ｕを指定階調Ｄに応じて実際に駆動する段階）では、駆動信号Ｘ[j]が供給されることで駆動トランジスタＴDRには迅速かつ確実に電流ＩDSが流れる。したがって、駆動トランジスタＴDRを平衡状態に遷移させるための時間が短縮されるという利点がある。
【００９４】
なお、初期化期間ＰRS1内における駆動信号Ｘ（Ｘ[1]〜Ｘ[n]）の時間変化率ＲXは、最高階調ＤMAXに対応する最大値ｒ_maxに限定されない。駆動トランジスタＴDRのゲートの電位ＶGを初期化期間ＰRS1内の単位期間Ｈにて変化させることで駆動トランジスタＴDRがオン状態となるような時間変化率ＲXが好適に選定される。例えば、最高階調ＤMAXよりも低い指定階調Ｄに対応する時間変化率ＲX（例えば高目の中間調ＤHに対応する時間変化率ｒ_H）や指定階調Ｄとは無関係に設定された時間変化率ＲXで、初期化期間ＰRS1内における駆動信号Ｘの電位ＶXを変化させる構成も採用される。
【００９５】
＜Ｄ−２：第６実施形態＞
図１８は、本発明の第６実施形態における初期化期間ＰRS1内の動作のタイミングチャートである。第５実施形態と同様に、各画素回路Ｕの駆動トランジスタＴDRの電圧ＶGSを初期化する動作が初期化期間ＰRS1にて実行され、初期化期間ＰRS1の経過後には第１実施形態と同様の動作が実行される。初期化期間ＰRS1は、例えば発光装置１００の電源が投入された直後の１個の垂直走査期間である。
【００９６】
図１８に示すように、信号線駆動回路３４は、各信号線１４に出力する駆動信号Ｘ（Ｘ[1]〜Ｘ[n]）を初期化期間ＰRS1内にて基準電位ＶRSに固定する。一方、給電線１６には所定の電位ＶLが供給される。走査線駆動回路３２は、走査信号ＧA[1]〜ＧA[m]を初期化期間ＰRS1内の単位期間Ｈ毎に順番に選択電位ＶSLに設定する。したがって、初期化期間ＰRS1内の単位期間Ｈ[i]においては、図１８に示すように、第ｉ行の各画素回路Ｕにおける選択スイッチＴSLがオン状態に制御されることで駆動トランジスタＴDRのゲートに信号線１４から基準電位ＶRSが供給され、駆動トランジスタＴDRのソースの電位ＶSは給電線１６の電位ＶLに設定される。すなわち、駆動トランジスタＴDRのゲート−ソース間の電圧ＶGS（保持容量ＣSTの両端間の電圧）は、基準電位ＶRSと電位ＶLとの差分の電圧ＶGS1（ＶGS1＝ＶRS−ＶL）に初期化される。
【００９７】
基準電位ＶRSおよび電位ＶLは、両者の差分の電圧ＶGS1が駆動トランジスタＴDRの閾値電圧ＶTHを上回り（ＶRS−ＶL＞ＶTH）、かつ、発光素子Ｅの両端間の電圧が発光素子Ｅの閾値電圧ＶTH_OLEDを下回る（ＶL−ＶCT＜ＶTH_OLED）ように選定される。したがって、初期化期間ＰRS1においては、各画素回路Ｕの発光素子Ｅがオフ状態（非発光状態）に維持されたまま、各画素回路Ｕの駆動トランジスタＴDRがオン状態となる。
【００９８】
以上の形態においても、各画素回路Ｕの駆動トランジスタＴDRの電圧ＶGSが当該駆動トランジスタＴDRをオン状態とする電圧ＶGS1に初期化される。したがって、第５実施形態と同様に、発光装置１００の電源の投入時に駆動トランジスタＴDRの電圧ＶGSが閾値電圧ＶTHを下回る場合でも、初期化期間ＰRS1の経過後の各単位期間Ｈ（すなわち各画素回路Ｕを実際に階調Ｄに応じて駆動する段階）では、駆動トランジスタＴDRを迅速かつ確実に平衡状態に遷移させることが可能となる。
【００９９】
＜Ｄ−３：第７実施形態＞
図１９は、本発明の第７実施形態に係る発光装置１００のブロック図である。図１９の発光装置１００の素子部１０内には、各走査線１２とともにＸ方向に延在するｍ本の給電線１６が形成される。また、駆動回路３０は、ｍ本の給電線１６の各々の電位を個別に制御する電位制御回路３６を含む。他の構成は図３と同様である。
【０１００】
図２０は、本形態の動作のタイミングチャートである。第５実施形態や第６実施形態においては発光装置１００の電源の投入の直後に初期化期間ＰRS1を設定したのに対し、本形態においては、各単位期間Ｈ[i]内に設定された初期化期間ＰRS2にて第ｉ行の各画素回路Ｕにおける駆動トランジスタＴDRの電圧ＶGSを初期化する。
【０１０１】
図２０に示すように、第ｉ行の駆動トランジスタＴDRの電圧ＶGSを初期化する初期化期間ＰRS2は、走査信号ＧA[i]が選択電位ＶSLに設定される単位期間Ｈ[i]のうち始点ｔsから所定の時間が経過するまでの期間である。信号線駆動回路３４は、各単位期間Ｈ[i]内の初期化期間ＰRS2にて駆動信号Ｘ（Ｘ[1]〜Ｘ[n]）の電位ＶXを基準電位ＶRSに維持し、単位期間Ｈ[i]のうち初期化期間ＰRS2の経過後に指定階調Ｄに応じた時間変化率ＲXで電位ＶXを変化させる。
【０１０２】
図２０に示すように、電位制御回路３６は、単位期間Ｈ[i]内の初期化期間ＰRS2にて第ｉ行の給電線１６に電位ＶLを供給し、他の期間にて第ｉ行の給電線１６に電位ＶELを供給する。したがって、単位期間Ｈ[i]内の初期化期間ＰRS2においては、第６実施形態と同様に、第ｉ行の画素回路Ｕにおける駆動トランジスタＴDRの電圧ＶGSが、ゲートに供給される基準電位ＶRSとソースに供給される電位ＶLとの差分の電圧ＶGS1（ＶGS1＝ＶRS−ＶL）に初期化される。基準電位ＶRSや電位ＶLの条件は第６実施形態と同様である。また、各単位期間Ｈのうち初期化期間ＰRS2の経過後の動作は例えば第１実施形態と同様である。
【０１０３】
以上の形態においても第５実施形態や第６実施形態と同様の効果が実現される。さらに本形態においては、駆動トランジスタＴDRの電圧ＶGSが単位期間Ｈ毎に初期化されるから、以下に例示するように、単位期間Ｈ[i]にて設定される駆動電流ＩDRが直前の垂直走査期間の単位期間Ｈ[i]における指定階調Ｄの影響を受けないという利点がある。
【０１０４】
いま、初期化期間ＰRS2を設定しない第１実施形態のもとで、第ｉ行の１個の画素回路Ｕに対し、第１単位期間Ｈ[i]において最高階調ＤMAX（あるいは高目の中間調ＤH）が指定され、次に第ｉ行が選択される第２単位期間Ｈ[i]において最低階調ＤMIN（あるいは低目の中間調ＤL）が指定された場合を想定する。第１単位期間Ｈ[i]においては駆動信号Ｘ[j]の電位ＶXの時間変化率ＲXが最高値ｒ_maxに設定されることで電圧ＶGSは最大値に設定される。したがって、電位ＶXの時間変換率ＲXが最低値ｒ_min（ゼロ）である駆動信号Ｘ[j]が第２単位期間Ｈ[i]にて駆動トランジスタＴDRのゲートに供給されても、第２単位期間Ｈ[i]の終点ｔeまでに、駆動トランジスタＴDRの電圧ＶGSが最低階調ＤMINに対応する電圧ＶSETまで完全に低下し切らない可能性がある。したがって、最低階調ＤMINの指定にも拘わらず発光素子Ｅには駆動電流ＩDRが供給され、表示画像のコントラストが低下する場合がある。
【０１０５】
本形態においては、各単位期間Ｈ[i]内の初期化期間ＰRS2にて駆動トランジスタＴDRの電圧ＶGSが所定値ＶGS1（ＶGS1＝ＶRS−ＶL）に初期化されるから、第１単位期間Ｈ[i]にて設定された電圧ＶSETに拘わらず（すなわち、前回の指定階調Ｄに拘わらず）、第２単位期間Ｈ[i]においては駆動トランジスタＴDRの電圧ＶGSを指定階調Ｄに応じた電圧ＶSETに正確に設定できるという利点がある。
【０１０６】
＜Ｄ−４：第８実施形態＞
図２１は、本発明の第８実施形態に係る発光装置１００の動作のタイミングチャートである。図２１に示すように、各単位期間Ｈ[i]における走査線駆動回路３２や信号線駆動回路３４の動作（走査信号ＧA[i]や駆動信号Ｘ[j]の波形）は第７実施形態と同様である。また、発光装置１００の構成は第７実施形態と同様である。
【０１０７】
各単位期間Ｈ[i]内の初期化期間ＰRS2は期間Ｐ1と期間Ｐ2とに区分される。電位制御回路３６は、単位期間Ｈ[i]内の初期化期間ＰRS2のうち期間Ｐ1にて第ｉ行の給電線１６に電位ＶLを供給し、他の期間（単位期間Ｈ[i]内の期間Ｐ2を含む）にて第ｉ行の給電線１６に電位ＶELを供給する。したがって、単位期間Ｈ[i]内の期間Ｐ1においては、第７実施形態と同様に、第ｉ行の画素回路Ｕにおける駆動トランジスタＴDRの電圧ＶGSが所定の電圧ＶGS1（ＶGS1＝ＶRS−ＶL）に初期化されることで駆動トランジスタＴDRはオン状態に変化する。
【０１０８】
単位期間Ｈ[i]内の期間Ｐ2が開始すると、第ｉ行の給電線１６の電位ＶLが電位ＶELに変化する。期間Ｐ1にて駆動トランジスタＴDRはオン状態に遷移しているから、以上の状態のもとでは、数式(1)で表現される電流ＩDSが駆動トランジスタＴDRのドレインとソースとの間に流れて容量ＣEおよび保持容量ＣSTに電荷が充電される。したがって、図２１に示すように駆動トランジスタＴDRのソースの電位ＶSは経時的に上昇する。駆動トランジスタＴDRのゲートは期間Ｐ1から引続き基準電位ＶRSに維持されるから、駆動トランジスタＴDRの電圧ＶGSはソースの電位ＶSの上昇とともに低下する。数式(1)から理解されるように電圧ＶGSが低下して閾値電圧ＶTHに接近するほど電流ＩDSは減少する。したがって、期間Ｐ2においては、駆動トランジスタＴDRの電圧ＶGSを、期間Ｐ1における初期化後の電圧ＶGS1から閾値電圧ＶTHに漸近させる動作（以下「漸近動作」という）が実行される。期間Ｐ2の時間長は、駆動トランジスタＴDRの電圧ＶGSが閾値電圧ＶTHに充分に近似する（理想的には合致する）ように設定される。
【０１０９】
以上の形態においても単位期間Ｈ[i]毎に駆動トランジスタＴDRのゲート−ソース間の電圧ＶGSが初期化されるから、第７実施形態と同様の効果が実現される。また、本形態においては、各単位期間Ｈ[i]における駆動信号Ｘ[j]の電位ＶXの変化前に、駆動トランジスタＴDRのゲート−ソース間の電圧ＶGSが閾値電圧ＶTHに漸近する。例えば、駆動トランジスタＴDRの電圧ＶGSが第１単位期間Ｈ[i]において最高階調ＤMAXや高目の中間調ＤHに対応した大きい電圧ＶSETに設定された場合でも、次に第ｉ行が選択される第２単位期間Ｈ[i]の初期化期間ＰRSにおいては、駆動トランジスタＴDRの電圧ＶGSが閾値電圧ＶTHに近い電圧に初期化される。したがって、最低階調ＤMINや中間調ＤLが指定される第２単位期間Ｈ[i]において駆動トランジスタＴDRのゲートの電位ＶGの時間変化率ＲXは低い数値に設定されるにも拘わらず、第２単位期間Ｈ[i]内の期間Ｐ2の経過後には、駆動トランジスタＴDRの電圧ＶGSを、最低階調ＤMINや中間調ＤLに応じた小さい電圧ＶSETに正確に設定することが可能である。
【０１１０】
＜Ｄ−５：第９実施形態＞
第８実施形態においては、単位期間Ｈ[i]内の期間Ｐ2にて第ｉ行の各画素回路Ｕの漸近動作を実行した。しかし、駆動トランジスタＴDRのゲート−ソース間の電圧ＶGSが閾値電圧ＶTHに到達するまでには相当の時間が掛かるから、実際には単位期間Ｈ[i]を長時間に設定する必要がある。そして、単位期間Ｈ[i]が長期化するほど画素回路Ｕの高精細化（行数の増加）が制約されるという問題がある。そこで、以下に例示する第９実施形態および第１０実施形態においては、複数の単位期間Ｈにわたって漸近動作を実行することで、単位期間Ｈの時間長を短縮しながら駆動トランジスタＴDRの電圧ＶGSを確実に閾値電圧ＶTHに設定する。
【０１１１】
図２２は、本発明の第９実施形態に係る発光装置１００の動作のタイミングチャートである。図２２の部分(A)に示すように、複数の単位期間Ｈ（……，Ｈ[i-3]，Ｈ[i-2]，Ｈ[i-1]，Ｈ[i]，Ｈ[i+1]，……）の各々は期間ｈ1と期間ｈ2とに区分される。期間ｈ1は単位期間Ｈの前半の期間であり、期間ｈ2は単位期間Ｈの後半の期間である。
【０１１２】
図２２の部分(A)に示すように、単位期間Ｈ[i]の期間ｈ2において、走査線駆動回路３２は走査信号ＧA[i]を選択電位ＶSLに設定し、信号線駆動回路３４は、第ｉ行の第ｊ列目に位置する画素回路Ｕの指定階調Ｄに応じた時間変化率ＲX[i,j]で各駆動信号Ｘ[j]の電位ＶXを変化させる。すなわち、図２２の部分(B)に「書込」として図示されるように、単位期間Ｈ[i]の期間ｈ2においては、第ｉ行の各画素回路Ｕにおける駆動トランジスタＴDRのゲート−ソース間の電圧ＶGSを駆動信号Ｘ[j]の電位ＶXの時間変化率ＲX[i,j]に応じた電圧ＶSETに設定する動作（以下「書込動作」という）が実行される。図２２の部分(B)に示すように、各画素回路Ｕに対する書込動作は、単位期間Ｈの期間ｈ2毎に行単位で順次に実行される。単位期間Ｈ[i]の経過後に電圧ＶSETに応じた駆動電流ＩDRが発光素子Ｅに供給される動作は第１実施形態と同様である。
【０１１３】
また、駆動回路３０は、図２２の部分(B)に示すように、単位期間Ｈ[i]の開始前の複数の単位期間Ｈ（Ｈ[i-3]〜Ｈ[i-1]）を第ｉ行の初期化期間ＰRS2として、第ｉ行の各画素回路Ｕにおける駆動トランジスタＴDRのゲート−ソース間の電圧ＶGSを電圧ＶGS1に初期化する動作（以下「初期化動作」という）と、第ｉ行の各画素回路Ｕにおける駆動トランジスタＴDRの電圧ＶGSを閾値電圧ＶTHに漸近させる漸近動作とを実行する。第ｉ行の第ｊ列に位置する画素回路Ｕに着目して動作の具体例を以下に説明する。
【０１１４】
単位期間Ｈ[i-3]〜Ｈ[i]の各々の期間ｈ1において、走査線駆動回路３２は第ｉ行の走査信号ＧA[i]を選択電位ＶSLに設定し、信号線駆動回路３４は駆動信号Ｘ（Ｘ[1]〜Ｘ[n]）を基準電位ＶRSに設定する。一方、電位制御回路３６は、第ｉ行の給電線１６に対し、単位期間Ｈ[i]の３個前の単位期間Ｈ[i-3]の期間ｈ1にて電位ＶLを供給するとともに他の期間にて電位ＶELを供給する。したがって、第ｉ行の各画素回路Ｕにおける駆動トランジスタＴDRのゲート−ソース間の電圧ＶGSは、単位期間Ｈ[i-3]の期間ｈ1における初期化動作で、駆動トランジスタＴDRをオン状態とする電圧ＶGS1（ＶGS1＝ＶRS−ＶL）に初期化される。
【０１１５】
単位期間Ｈ[i-3]の期間ｈ1が経過すると、電位制御回路３６は、第ｉ行の給電線１６の電位ＶLを高位側の電位ＶELに変化させる。したがって、第８実施形態の期間Ｐ2と同様に、駆動トランジスタＴDRのゲート−ソース間の電圧ＶGSを電圧ＶGS1から閾値電圧ＶTHに漸近させる漸近動作が実行される。図２２に示すように、単位期間Ｈ[i-3]の期間ｈ2から単位期間Ｈ[i]の期間ｈ1まで継続的に漸近動作が実行される。
【０１１６】
なお、単位期間Ｈ[i-3]〜Ｈ[i-1]の各々の期間ｈ2においては、選択スイッチＴSLがオフ状態に制御されることで駆動トランジスタＴDRのゲートが電気的なフローティング状態となる。したがって、電流ＩDSによる容量ＣEや保持容量ＣSTの充電でソースの電位ＶSが経時的に変動すると、図２２に示すように、駆動トランジスタＴDRのゲートの電位ＶGは、電位ＶSに連動して期間ｈ2内で変化量ΔＶGだけ変化する。一方、単位期間Ｈ[i-2]〜Ｈ[i]の各々の期間ｈ1の始点において、駆動トランジスタＴDRのゲートの電位ＶGは、直前の期間ｈ2での上昇後の電位から信号線１４の基準電位ＶRSに変化量ΔＶGだけ低下する。駆動トランジスタＴDRのゲート−ソース間には保持容量ＣSTが介在するから、ソースの電位ＶSは期間ｈ1の始点における電位ＶGに連動して低下する。電位ＶSの変化量は、容量ＣEと保持容量ＣSTとの容量比に応じて電位ＶGの変化量ΔＶGを分割した電圧である（すなわち、電位ＶSは電位ＶGの変化よりも小さい電圧しか変化しない）。そして、駆動トランジスタＴDRの電圧ＶGSが閾値電圧ＶTHに接近するほど電位ＶSの変動は抑制されるから、期間ｈ2内における電位ＶGの変動量ΔＶGは経時的に減少していく。したがって、駆動トランジスタＴDRのゲート−ソース間の電圧ＶGSは、単位期間Ｈ[i-2]〜Ｈ[i]の各々の期間ｈ1の始点にて増加しながらも経時的に閾値電圧ＶTHに漸近する。
【０１１７】
漸近動作が実行される単位期間Ｈの個数は、電圧ＶGSが閾値電圧ＶTHに充分に接近する（理想的には合致する）ように選定される。したがって、単位期間Ｈ[i]の期間ｈ2においては、駆動トランジスタＴDRのゲート−ソース間の電圧ＶGSが閾値電圧ＶTHに設定された状態から書込動作が開始される。
【０１１８】
以上の形態においては、複数の単位期間Ｈにわたって漸近動作が実行されるから、１個の単位期間Ｈ内で漸近動作を完了する第８実施形態と比較すると、単位期間Ｈの時間長が短い場合であっても、駆動トランジスタＴDRの電圧ＶGSが閾値電圧ＶTHに充分に接近するように漸近動作の時間を確保できるという利点がある。
【０１１９】
＜Ｄ−６：第１０実施形態＞
図２３は、本発明の第１０実施形態における画素回路Ｕの回路図である。図２３に示すように、画素回路Ｕは、以上の各形態における画素回路Ｕに制御スイッチＴCRを追加した構成である。制御スイッチＴCRは、駆動トランジスタＴDRのゲートと給電線２２との間に介在して両者の電気的な接続（導通／非導通）を制御するＮチャネル型のトランジスタ（例えば薄膜トランジスタ）である。給電線２２には電源回路（図示略）から基準電位ＶRSが供給される。第８実施形態や第９実施形態においては、初期化動作の実行時に画素回路Ｕに基準電位ＶRSを供給するために駆動信号Ｘ[j]の供給用の信号線１４を兼用したのに対し、本形態においては信号線１４とは別個の給電線２２を初期化動作時の基準電位ＶRSの供給に利用する。
【０１２０】
素子部１０内には、走査線１２とともにＸ方向に延在するｍ本の制御線２４が形成される。図２３に示すように、第ｉ行の各画素回路Ｕにおける制御スイッチＴCRのゲートは第ｉ行の制御線２４に接続される。各制御線２４には駆動回路３０（例えば走査線駆動回路３２）から制御信号ＧB（ＧB[1]〜ＧB[m]）が供給される。
【０１２１】
図２４は、画素回路Ｕを駆動する動作のタイミングチャートである。図２４に示すように、単位期間Ｈ[i]においては、走査線駆動回路３２が走査信号ＧA[i]を選択電位ＶSLに設定し、信号線駆動回路３４が、第ｉ行の第ｊ列目に位置する画素回路Ｕの指定階調Ｄに応じた時間変化率ＲX[i,j]で駆動信号Ｘ[j]の電位ＶXを変化させる。したがって、第１実施形態と同様に、第ｉ行の各駆動トランジスタＴDRの電圧ＶGSを指定階調Ｄに応じた電位ＶSETに設定する書込動作が単位期間Ｈ[i]にて実行され、単位期間Ｈ[i]の経過後に発光素子Ｅに駆動電流ＩDRが供給される。一方、単位期間Ｈ[i]の開始前の複数の単位期間Ｈ（単位期間Ｈ[i-5]〜Ｈ[i-1]）を初期化期間ＰRS2として、第ｉ行の各画素回路Ｕの初期化動作と漸近動作とが実行される。さらに詳述すると、単位期間Ｈ[i-5]およびＨ[i-4]にて第ｉ行の初期化動作が実行され、単位期間Ｈ[i-3]〜Ｈ[i-1]にて第ｉ行の漸近動作が実行される。
【０１２２】
制御信号ＧB[i]は、単位期間Ｈ[i-5]〜Ｈ[i-1]にわたってアクティブレベル（ハイレベル）に設定され、他の期間において非アクティブレベルを維持する。制御信号ＧB[i]がアクティブレベルに遷移すると、第ｉ行の各画素回路Ｕにおける制御スイッチＴCRがオン状態に変化するから、駆動トランジスタＴDRのゲートには、給電線２２から制御スイッチＴCRを介して基準電位ＶRSが供給される。
【０１２３】
電位制御回路３６は、単位期間Ｈ[i-5]およびＨ[i-4]にて第ｉ行の給電線１６に電位ＶLを供給する。駆動トランジスタＴDRのゲートには給電線２２から基準電位ＶRSが供給されているから、単位期間Ｈ[i-5]およびＨ[i-4]においては、第ｉ行の各画素回路Ｕにおける駆動トランジスタＴDRの電圧ＶGSを電圧ＶGS1（ＶGS1＝ＶRS−ＶL）に設定する初期化動作が実行される。
【０１２４】
単位期間Ｈ[i-4]が経過すると、電位制御回路３６は、第ｉ行の給電線１６の電位ＶLを高位側の電位ＶELに変化させる。一方、駆動トランジスタＴDRのゲートには引続き基準電位ＶRSが供給されるから、第８実施形態の期間Ｐ2と同様に、駆動トランジスタＴDRのゲート−ソース間の電圧ＶGSを閾値電圧ＶTHに漸近させる漸近動作が実行される。図２４に示すように、第ｉ行の漸近動作は、単位期間Ｈ[i-3]の始点から、制御信号ＧB[i]が非アクティブレベルに遷移する単位期間Ｈ[i-1]の終点まで継続される。漸近動作が実行される単位期間Ｈの個数（本形態では３個）は、電圧ＶGSが閾値電圧ＶTHに充分に接近する（理想的には合致する）ように選定される。したがって、第９実施形態と同様に、単位期間Ｈ[i]においては、駆動トランジスタＴDRのゲート−ソース間の電圧ＶGSが閾値電圧ＶTHに設定された状態から書込動作が開始される。
【０１２５】
以上の形態においては、複数の単位期間Ｈにわたって漸近動作が実行されるから、１個の単位期間Ｈ内で漸近動作を完了する第８実施形態と比較すると、単位期間Ｈの時間長が短い場合であっても、駆動トランジスタＴDRの電圧ＶGSが閾値電圧ＶTHに充分に接近するように漸近動作の時間を確保できるという利点がある。
【０１２６】
なお、第９実施形態における駆動トランジスタＴDRのゲートの電位ＶGは、漸近動作中の各期間ｈ2にてソースの電位ＶSに連動して変化するとともに各期間ｈ1にて基準電位ＶRSに設定される。したがって、漸近動作中の各期間ｈ1の始点においては、図２２を参照して説明したように、駆動トランジスタＴDRのゲートの電位ＶGが低下することでゲート−ソース間の電圧ＶGSが不連続に増加する。一方、本形態における漸近動作中は、駆動トランジスタＴDRのゲートの電位ＶGは基準電位ＶRSに固定されるから、図２４に示すように、漸近動作中はゲート−ソース間の電圧ＶGSは連続的に閾値電圧ＶTHに漸近する（すなわち、漸近動作の途中で電圧ＶGSは増加しない）。したがって、漸近動作に必要となる単位期間Ｈの個数が第９実施形態と比較して削減されるという利点がある。そして、漸近動作のための単位期間Ｈの個数が削減される分だけ発光素子Ｅを発光させる期間が長く確保されるから、表示画像の明度を充分に確保できるという利点がある。もっとも、第９実施形態においては、初期化動作のための基準電位ＶRSの供給と書込動作のための駆動信号Ｘ[j]の供給とに共通の信号線１４が兼用されるから、第１０実施形態と比較して、素子部１０内の構成が簡素化される（配線数が削減される）という利点がある。
【０１２７】
＜Ｄ−７：他の形態＞
第５実施形態から第１０実施形態においては、図６の駆動信号Ｘ[j]を利用した第１実施形態に電圧ＶGSの初期化を追加した場合を例示したが、図１２から図１４（第２実施形態から第４実施形態）の駆動信号Ｘ[j]を利用した第２実施形態から第４実施形態においても、第５実施形態から第１０実施形態と同様の初期化（初期化動作および漸近動作）を実行する構成が好適に採用される。
【０１２８】
例えば、第８実施形態から第１０実施形態のように駆動トランジスタＴDRのゲート−ソース間の電圧ＶGSを漸近動作で閾値電圧ＶTHに設定したうえで、図１４に第４実施形態として例示したように駆動信号Ｘ[j]の電位ＶXを調整電位ＶAに変化させてから時間変化率ＲXで変化させる構成も好適である。
【０１２９】
駆動トランジスタＴDRのゲートとソースとの間には保持容量ＣSTが介在するから、図１５の実線のように駆動信号Ｘ[j]の電位ＶXを時点ｔA2にて基準電位ＶRSから調整電位ＶAに変化量ΔＶ（ΔＶ＝ＶA−ＶRS）だけ変化させると、駆動トランジスタＴDRのソースの電位ＶSは、電位ＶGの変化量ΔＶを保持容量ＣSTと容量ＣEとの容量比に応じて分割した電圧（ΔＶ・ｃp2/（ｃp1＋ｃp2））だけ変化（上昇）する。いま、時点ｔA2の到来前における駆動トランジスタＴDRのゲート−ソース間の電圧ＶGSが、第８実施形態から第１０実施形態の漸近動作で閾値電圧ＶTHに設定されているとすれば、時点ｔA2の直後における駆動トランジスタＴDRの電圧ＶGSは以下の数式(5)のように表現される。
ＶGS＝ＶTH−ΔＶ・ｃp1/（ｃp1＋ｃp2）  ……(5)
【０１３０】
数式(5)の電圧ＶGSを数式(1)に代入することで、時点ｔA2の直後にて駆動トランジスタＴDRのドレイン−ソース間に流れる電流ＩDSを表現する以下の数式(6)が導出される。ただし、数式(6)においては、数式(1)における「１/２・μ・Ｗ/Ｌ・Ｃox」を便宜的に係数Ｋに置換した。移動度μなどの誤差に起因して各駆動トランジスタＴDRの係数Ｋには誤差が発生し得るから、実際の係数Ｋとしては、各駆動トランジスタＴDRの係数Ｋの典型的な数値（例えば平均値）が採用される。
ＩDS＝１/２・μ・Ｗ/Ｌ・Ｃox・｛ΔＶ・ｃp1/（ｃp1＋ｃp2）｝２
＝Ｋ・｛ΔＶ・ｃp1/（ｃp1＋ｃp2）｝２  ……(6)
【０１３１】
したがって、時点ｔA2の直後における電流ＩDSを指定階調Ｄに応じた目標値Ｉaに調整するためには、調整電位ＶAと基準電位ＶRSとの差分ΔＶを以下の数式(7)のように設定する必要がある。基準電位ＶRSに対して数式(7)の関係を充足するように調整電位ＶAを指定階調Ｄに応じて設定することで、駆動トランジスタＴDRを迅速に平衡状態に到達させることが可能である。
ΔＶ＝ＶA−ＶRS＝｛（ｃp1＋ｃp2）/ｃp1｝・（Ｉa/Ｋ）1/2  ……(7)
【０１３２】
また、第６実施形態から第１０実施形態においては、駆動トランジスタＴDRのゲートの電位ＶGを駆動信号Ｘ[j]の基準電位ＶRSに初期化したが、電位ＶGを、駆動信号Ｘ[j]とは無関係に選定された電位に初期化する構成も採用される。また、第８実施形態から第１０実施形態においては、駆動トランジスタＴDRのゲート−ソース間の電圧ＶGSを漸近動作で閾値電圧ＶTHに設定したが、電圧ＶGSを完全に閾値電圧ＶTHに到達させる必要はない。すなわち、駆動トランジスタＴDRの電圧ＶGSを、初期化動作で設定された電圧ＶGS1から漸近動作で閾値電圧ＶTHに接近させる構成が好適である。
【０１３３】
＜Ｅ：変形例＞
以上の各形態は様々に変形される。各形態に対する変形の具体的な態様を以下に例示する。なお、以下の例示から２以上の態様を任意に選択して組合わせてもよい。
【０１３４】
（１）変形例１  
以上の各形態においては、図２５および図２６に曲線Ｑ0（破線）で図示したように、駆動信号Ｘ[j]の電位ＶXの時間変化率ＲXが、発光素子Ｅに供給されるべき電流ＩDS（駆動電流ＩDR）に対して比例するように（数式(3)の関係が成立するように）、指定階調Ｄに応じた時間変化率ＲXを設定した。すなわち、単位期間Ｈ[i]の終点における駆動信号Ｘ[j]の電位ＶXの時間変化率ＲX[i,j]と、駆動トランジスタＴDRのソースに付随する容量ＣEの容量値ｃp1との乗算値が駆動電流ＩDRの目標値に合致するように時間変化率ＲXが設定される。しかし、駆動電流ＩDSと時間変化率ＲXとの間に数式(3)の関係（比例）が厳密に成立する必要はない。
【０１３５】
例えば、選択スイッチＴSLをオフ状態に変化させるために選択スイッチＴSLのゲートの電位を低下させたときのフィードスルーに起因して、駆動トランジスタＴDRのゲートの電位ＶGは、単位期間Ｈの終点ｔeにて変動（低下）し得る。そして、電位ＶGの変化量は、指定階調Ｄに応じて（例えば駆動信号Ｘ[j]の電位ＶXの時間変化率ＲXや単位期間Ｈ[i]の終点ｔeにおける電位ＶXに応じて）相違する場合がある。したがって、フィードスルーに起因した電位ＶGの変化量の相違が補償されるように、駆動電流ＩDSと時間変化率ＲXとの関係を選定した構成も好適である。
【０１３６】
例えば、指定階調Ｄが高階調である（駆動電流ＩDRが大きい）ほどフィードスルーに起因した電位ＶGの低下量が増加するのであれば、図２５の曲線Ｑ1のように、駆動電流ＩDRが大きいほど、駆動電流ＩDRに対する時間変化率ＲXの変化率（勾配）が増加するように、各指定階調Ｄの駆動電流ＩDRに対する時間変化率ＲXが選定される。また、指定階調Ｄが低階調である（駆動電流ＩDRが小さい）ほど電位ＶGの低下量が増加するのであれば、図２６の曲線Ｑ2や曲線Ｑ3のように、駆動電流ＩDRが小さいほど、駆動電流ＩDRに対する時間変化率ＲXの変化率（勾配）が増加するように、各指定階調Ｄの駆動電流ＩDRに対する時間変化率ＲXが選定される。
【０１３７】
また、駆動信号Ｘ[j]の電位ＶXの時間変化率ＲXが低い場合（すなわち、指定階調Ｄが低階調である場合）、駆動トランジスタＴDRが平衡状態に到達するまでに過度に長い時間が必要となる可能性がある。したがって、指定階調Ｄが低階調である場合にも駆動トランジスタＴDRを迅速に平衡状態に到達させるという観点からしても、図２６の曲線Ｑ2や曲線Ｑ3のように、駆動電流ＩDRが小さいほど、駆動電流ＩDRに対する時間変化率ＲXの変化率が増加するように、各指定階調Ｄの駆動電流ＩDRに対する時間変化率ＲXを選定した構成が好適である。
【０１３８】
（２）変形例２  
発光素子Ｅに供給される駆動電流ＩDRの電流量は、単位期間Ｈ[i]の終点ｔeにおける駆動信号Ｘ[j]の電位ＶXの時間変化率ＲXに応じて決定される。したがって、駆動信号Ｘ[j]のうち単位期間Ｈ[i]の終点ｔe（駆動トランジスタＴDRのゲートに対するすなわち駆動信号Ｘ[j]の供給を停止する時点）における電位ＶXの時間変化率ＲXが指定階調Ｄに応じて設定される構成は好適であるが、単位期間Ｈ[i]の途中における駆動信号Ｘ[j]の波形（時間変化率ＲX）は本発明において不問である。ただし、単位期間Ｈ[i]の終点ｔeにて駆動トランジスタＴDRのソースの電位ＶSの時間変化率ＲSを駆動信号Ｘ[j]の電位ＶXの時間変化率ＲXに正確に合致させるためには、駆動信号Ｘ[j]の時間変化率ＲXを、終点ｔeまでの所定の期間にわたって継続的に、指定階調Ｄに応じた一定の数値に固定する構成が格別に好適である。
【０１３９】
（３）変形例３  
第５実施形態から第１０実施形態において、駆動トランジスタＴDRのゲート−ソース間の電圧ＶGSを初期化する時期や契機は任意に変更される。例えば、複数の垂直走査期間を単位として１回の初期化動作や漸近動作が実行される構成や、発光装置１００に対する利用者からの指示を契機として初期化動作や漸近動作が実行される構成も採用される。また、駆動トランジスタＴDRの電圧ＶGSを単位期間Ｈ毎に初期化する構成（第７実施形態から第１０実施形態）は、指定階調Ｄが経時的に変化する場合（すなわち動画像を表示する場合）に格別に好適である。したがって、動画像を表示する場合には画素回路Ｕの駆動中（初期化期間ＰRS2）に電圧ＶGSを随時に初期化し、静止画を表示する場合には発光装置１００の電源が投入された直後（初期化期間ＰRS1）のみにて電圧ＶGSを初期化するといった構成も採用される。
【０１４０】
（４）変形例４  
画素回路Ｕを構成する各トランジスタ（駆動トランジスタＴDR，選択スイッチＴSL，制御スイッチＴCR）の導電型は任意である。例えば、図２７に示すように、駆動トランジスタＴDRや各スイッチ（選択スイッチＴSL，制御スイッチＴCR）をＰチャネル型とした構成も採用される。図２７の画素回路Ｕにおいては、発光素子Ｅの陽極が給電線１８（電位ＶCT）に接続され、駆動トランジスタＴDRのドレインが給電線１６（電位ＶEL）に接続されるとともにソースが発光素子Ｅの陰極に接続される。駆動トランジスタＴDRのゲートとソースとの間に保持容量ＣSTが介在する構成や、駆動トランジスタＴDRのゲートと信号線１４との間に選択スイッチＴSLが介在する構成は図４と同様である。以上のようにＰチャネル型の駆動トランジスタＴDRを採用した場合、Ｎチャネル型の駆動トランジスタＴDRを採用した場合と比較して電圧の関係（高低）は逆転するが、本質的な動作は以上の例示と同様であるから、具体的な動作の説明は省略する。
【０１４１】
（５）変形例５
以上の各形態においては発光素子Ｅに付随する容量ＣEを利用したが、図２８に示すように、発光素子Ｅとは別個に形成した容量ＣXを容量ＣEとともに利用する構成も好適である。容量ＣXの電極ｅ1は、駆動トランジスタＴDRと発光素子Ｅとを結ぶ経路上（駆動トランジスタＴDRのソース）に接続される。容量ＣXの電極ｅ2は、所定の電位が供給される配線（例えば、電位ＶCTが供給される給電線１８や、基準電位ＶRSが供給される図２３の給電線２２）に接続される。図２８の構成においては、以上の各形態における容量値ｃp1が容量ＣXと発光素子Ｅの容量ＣEとの合計値となる。したがって、数式(2)や数式(3)の電流ＩDS（さらには駆動電流ＩDR）を容量ＣXに応じて適宜に調整することが可能である。また、容量ＣXを形成した構成においては、発光素子Ｅに容量ＣEの有無や容量値の大小は不問である。すなわち、発光素子Ｅに容量ＣEが付随しない構成や容量値が充分に小さい構成も採用される。
【０１４２】
（６）変形例６  
以上の各形態のように、複数の画素回路Ｕが行列状に配列された構成のもとで各画素回路Ｕを行単位で時分割に駆動する場合には各画素回路Ｕ内に選択スイッチＴSLが必要である。しかし、例えば複数の画素回路ＵがＸ方向に沿って１列のみに配列された構成においては、時分割での複数行の選択という動作が不要であるから、画素回路Ｕ内の選択スイッチＴSLは不要となる。複数の画素回路Ｕが１列のみに配列された発光装置１００は、例えば、電子写真方式の画像形成装置（印刷装置）において感光体ドラムなどの像担持体を露光する露光装置として好適に採用される。
【０１４３】
（７）変形例７  
有機ＥＬ素子は発光素子の例示に過ぎない。例えば、無機ＥＬ素子やＬＥＤ（Light Emitting Diode）素子などの発光素子を配列した発光装置にも以上の各態様と同様に本発明が適用される。本発明における発光素子は、電流の供給で駆動される（典型的には階調（輝度）が制御される）電流駆動型の被駆動素子である。
【０１４４】
＜Ｆ：応用例＞
次に、以上の各態様に係る発光装置１００を利用した電子機器について説明する。図２９ないし図３１には、発光装置１００を表示装置として採用した電子機器の形態が図示されている。
【０１４５】
図２９は、発光装置１００を採用したモバイル型のパーソナルコンピュータの構成を示す斜視図である。パーソナルコンピュータ２０００は、各種の画像を表示する発光装置１００と、電源スイッチ２００１やキーボード２００２が設置された本体部２０１０とを具備する。発光装置１００は有機ＥＬ素子を発光素子Ｅとして使用しているので、視野角が広く見易い画面を表示できる。
【０１４６】
図３０は、発光装置１００を適用した携帯電話機の構成を示す斜視図である。携帯電話機３０００は、複数の操作ボタン３００１およびスクロールボタン３００２と、各種の画像を表示する発光装置１００とを備える。スクロールボタン３００２を操作することによって、発光装置１００に表示される画面がスクロールされる。
【０１４７】
図３１は、発光装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する発光装置１００とを備える。電源スイッチ４００２を操作すると、住所録やスケジュール帳といった様々な情報が発光装置１００に表示される。
【０１４８】
なお、本発明に係る発光装置１００が適用される電子機器としては、図２９から図３１に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置１００の用途は画像の表示に限定されない。例えば、電子写真方式の画像形成装置において露光により感光体ドラムに潜像を形成する露光装置としても本発明の発光装置１００は利用される。
【図面の簡単な説明】
【０１４９】
【図１】画素回路の駆動の原理を説明するための回路図である。
【図２】画素回路の駆動の原理を説明するためのグラフである。
【図３】本発明の第１実施形態に係る発光装置のブロック図である。
【図４】画素回路の回路図である。
【図５】発光装置の動作を示すタイミングチャートである。
【図６】駆動信号の波形図である。
【図７】信号線駆動回路の回路図である。
【図８】信号線駆動回路の他の回路図である。
【図９】駆動信号の電位と単位区間の終点との関係を説明するための概念図である。
【図１０】駆動信号の電位の時間変化率が高い場合に駆動トランジスタが平衡状態に到達するまでの時間を説明するためのグラフである。
【図１１】駆動信号の電位の時間変化率が低い場合に駆動トランジスタが平衡状態に到達するまでの時間を説明するためのグラフである。
【図１２】本発明の第２実施形態における駆動信号の波形図である。
【図１３】本発明の第３実施形態における駆動信号の波形図である。
【図１４】本発明の第４実施形態における駆動信号の波形図である。
【図１５】第４実施形態の効果を説明するための概念図である。
【図１６】信号線駆動回路の回路図である。
【図１７】本発明の第５実施形態に係る発光装置の動作を示すタイミングチャートである。
【図１８】本発明の第６実施形態に係る発光装置の動作を示すタイミングチャートである。
【図１９】本発明の第７実施形態に係る発光装置のブロック図である。
【図２０】第７実施形態に係る発光装置の動作を示すタイミングチャートである。
【図２１】本発明の第８実施形態に係る発光装置の動作を示すタイミングチャートである。
【図２２】本発明の第９実施形態に係る発光装置の動作を示すタイミングチャートである。
【図２３】本発明の第１０実施形態に係る画素回路の回路図である。
【図２４】第１０実施形態に係る発光装置の動作を示すタイミングチャートである。
【図２５】駆動電流と駆動信号の電位の時間変化率との関係を示すグラフである。
【図２６】駆動電流と駆動信号の電位の時間変化率との関係を示すグラフである。
【図２７】変形例に係る画素回路の回路図である。
【図２８】変形例に係る画素回路の部分的な回路図である。
【図２９】電子機器（パーソナルコンピュータ）の斜視図である。
【図３０】電子機器（携帯電話機）の斜視図である。
【図３１】電子機器（携帯情報端末）の斜視図である。
【符号の説明】
【０１５０】
１００……発光装置、１０……素子部、１２……走査線、１４……信号線、１６，１８，２２……給電線、２４……制御線、３０……駆動回路、３２……走査線駆動回路、３４……信号線駆動回路、３６……電位制御回路、Ｕ……画素回路、Ｅ……発光素子、ＴDR……駆動トランジスタ、ＴSL……選択スイッチ、ＴCR……制御スイッチ、Ｅ……発光素子、Ｈ（Ｈ[i]）……単位期間、Ｘ（Ｘ[j]）……駆動信号。
【図１】
2010079158.tif 000003
【図２】
2010079158.tif 000004
【図３】
2010079158.tif 000005
【図４】
2010079158.tif 000006
【図５】
2010079158.tif 000007
【図６】
2010079158.tif 000008
【図７】
2010079158.tif 000009
【図８】
2010079158.tif 000010
【図９】
2010079158.tif 000011
【図１０】
2010079158.tif 000012
【図１１】
2010079158.tif 000013
【図１２】
2010079158.tif 000014
【図１３】
2010079158.tif 000015
【図１４】
2010079158.tif 000016
【図１５】
2010079158.tif 000017
【図１６】
2010079158.tif 000018
【図１７】
2010079158.tif 000019
【図１８】
2010079158.tif 000020
【図１９】
2010079158.tif 000021
【図２０】
2010079158.tif 000022
【図２１】
2010079158.tif 000023
【図２２】
2010079158.tif 000024
【図２３】
2010079158.tif 000025
【図２４】
2010079158.tif 000026
【図２５】
2010079158.tif 000027
【図２６】
2010079158.tif 000028
【図２７】
2010079158.tif 000029
【図２８】
2010079158.tif 000030
【図２９】
2010079158.tif 000031
【図３０】
2010079158.tif 000032
【図３１】
2010079158.tif 000033